(57)【特許請求の範囲】
【請求項１】
個別信号ユニット（２２）を備えた監視システムであって、
該個別信号ユニット（２２）は、インターネット（２９）を介してアクセス可能なウェブサイトを介して監視システムの中央制御機能と接続され、個別信号ユニットの登録所有者によって使用され、
それぞれ、
（ａ）送受信機モジュール（４０）、
（ｂ）電源（４２）、
（ｃ）論理回路（４６）、
（ｄ）いくつかの事象センサーのうちの少なくとも一つ
を備え、
前記監視システムは、該個別信号ユニットから前記中央制御機能への信号に応答して、前記中央制御機能に登録所有者が組み立てたスケジュールの一つまたは複数の事前定義ステップを実行させ、前記事前定義ステップのうちの少なくともいくつかは、ウェブサイトから該個別信号ユニットの登録所有者によって構成可能または再構成可能であり、
前記事前定義ステップのうちの少なくともいくつかのステップが、前記登録所有者とは独立した一つまたは複数の第三者によって提供され、前記ウェブサイトにおいて選択して利用可能であるツールによって定義され、前記ステップは、該個別信号ユニットによって検出または通知が行われる事象の結果として生じ、前記ステップは、前記第三者によって構成可能または再構成可能であり、前記事前定義ステップは、該個別信号ユニットからの前記信号を受信する登録所有者によって指定される受信者に通知することを含む、ことを特徴とする監視システム。
【請求項２】
前記個別信号ユニットは、事象センサーが前記個別信号ユニットを起動したときに前記中央制御機能と通信し、前記中央制御機能を起動し、前記中央制御機能は、前記個別信号ユニットからの通信の受信を受けて前記事前定義ステップを実行する、請求項１に記載のシステム。
【請求項３】
前記個別信号ユニットと前記中央制御機能との間の通信は、任意の通信ネットワークによって行われる、請求項２に記載のシステム。
【請求項４】
前記事前定義ステップは、前記中央制御機能と前記個別信号ユニットの前記登録所有者または登録ユーザーとの通信を含む、請求項３に記載のシステム。
【請求項５】
前記個別信号ユニットは、任意の外部感知装置からの信号入力を受け入れるように構成可能である、あるいは、前記個別信号ユニットは、前記任意の通信ネットワークへの出力信号を可能にする、請求項３に記載のシステム。
【請求項６】
前記中央制御機能は、データベースおよびサーバーを含み、前記中央制御機能は、前記サーバー上にインターネットウェブサイトを保持する、請求項１に記載のシステム。
【請求項７】
前記事前定義ステップは、前記個別信号ユニットに接続された出力装置の起動を含む、請求項１に記載のシステム。
【請求項８】
前記中央制御機能と個別信号ユニットとの間のデータフローは双方向である、請求項１に記載のシステム。
【発明の詳細な説明】
【技術分野】
【０００１】
本発明は、エラーおよび事件の報告装置および報告システムに関し、特に、地理的に隔てられた多様な項目から発せられた状態信号を受けて監視し作動するように適合されたシステムに関する。
【背景技術】
【０００２】
背景
近代社会の効率的な機能は、インフラストラクチャの数え切れないほどの離散した項目に頼っている。多くの場合、特にこのような項目が離れて、または到達がもしくは監視が困難な場所に配置されている場合、誤作動または悪影響を及ぼす事件は、かなりの長い時間にわたって検出されないままであり得、不便さ、経済的損失、またはさらには潜在的に危険な状態を引き起こしうる。
【０００３】
離れたエリアにあるインフラストラクチャのこのような多くの項目、例えば、灌漑水門、ゲート、貯水溝などの定期的な検査は通常、例えば、建物サイトにある道具倉庫、トラック上の道具箱、ならびに建造現場に残っている機器および工場などのような物品の監視に関連付けられる。
【０００４】
監視の必要性は、当然ながら、離れた場所に制限されない。機器、建物、および車両などのセキュリティおよび状態は、どこであっても重要である。しかし、監視システムのセットアップは往々にして複雑な手順であり、複雑なハードウェア設置の配線、専門家による現場訪問が関わることが多い。
【先行技術文献】
【特許文献】
【０００５】
【特許文献１】国際特許出願ＰＣＴ／ＡＵ２００７／０００９５８号明細書
【発明の概要】
【発明が解決しようとする課題】
【０００５】
本発明の目的は、上記欠点のうちのいくつかに対処するか、または少なくとも軽減することである。
【０００６】
メモ
１．「備える」という用語（およびその文法的変形）は、本明細書では、「のみからなる」という排他的な意味ではなく、「有する」または「含む」という包含的な意味で使用される。
２．「所有者」、「ユーザー」、「登録ユーザー」という用語は、本明細書では、個別信号ユニット（ＩＳＵ：ｉｎｄｉｖｉｄｕａｌ  ｓｉｇｎａｌ  ｕｎｉｔ）からの信号に応答して実行されるべきステップを予め定義することが許可された任意の人物に対して同義に使用される。
【課題を解決するための手段】
【０００７】
発明の概説
従って、本発明の広義の一形態では、個別信号ユニットであって、
（ａ）送受信機モジュール、
（ｂ）電源、
（ｃ）論理回路、
（ｄ）いくつかの事象センサーのうちの少なくとも一つ
を含み、上記個別信号ユニットから中央制御機能への信号により、上記中央制御機能に一つまたは複数の事前定義ステップを実行させ、前記事前定義ステップのうちの少なくともいくつかは、上記個別信号ユニットの所有者によって構成または再構成可能であり、上記事前定義ステップのうちの少なくともいくつかは、一つまたは複数の独立した当事者によって提供され、少なくともいくつかの所定のステップは、上記独立した当事者によって構成または再構成可能である、個別信号ユニットが提供される。
【０００９】
本発明の広義のさらなる形態では、個別信号ユニットを含む監視システムであって、事象センサーが上記個別信号ユニットを起動させたとき、上記個別信号ユニットは中央制御機能と通信し、上記中央制御機能は、上記個別信号ユニットからの通信を受信すると、いくつかの事前定義ステップを実行し、上記事前定義ステップのうちの少なくともいくつかは、上記個別信号ユニットの所有者によって構成または再構成可能であり、上記事前定義ステップのうちの少なくともいくつかは、一つまたは複数の独立した当事者によって提供され、少なくともいくつかの所定のステップは、上記独立した当事者によって構成または再構成可能である、監視システムが提供される。
【００１０】
好ましくは、上記個別信号ユニットと上記中央制御機能との通信は、距離によって制限されない。
【００１１】
好ましくは、上記個別信号ユニットは、上記中央制御機能に対して任意の場所に配置され得る。
【００１２】
好ましくは、上記個別信号ユニットは、上記中央制御機能から独立して可動性を有する。
【００１３】
好ましくは、上記個別信号ユニットと上記中央制御機能との通信は、任意の通信ネットワークによって行われる。
【００１４】
好ましくは、上記事前定義ステップは、上記中央制御機能と上記個別信号ユニットの上記所有者または登録ユーザーとの通信を含む。
【００１５】
好ましくは、上記中央制御機能と上記所有者または登録ユーザーとの上記通信は、任意の通信ネットワークによって行われる。
【００１６】
好ましくは、上記事前定義ステップは、上記事前定義ステップの第一層および第二層を含み得る。
【００１７】
好ましくは、上記事前定義ステップの第二層は、上記中央制御機能と上記所有者または登録ユーザーとの上記通信への応答に従って上記中央制御機能によって実行され得る。
【００１８】
好ましくは、上記個別信号ユニットはプログラム可能である。
【００１９】
好ましくは、上記個別信号ユニットはグラフィック・ディスプレイを含む。
【００２０】
好ましくは、上記個別信号ユニットは、任意の外部感知装置からの信号入力を受け入れるように構成可能である。
【００２１】
好ましくは、上記個別信号ユニットは、任意の上記通信ネットワークへの出力信号を可能にするように構成可能である。
【００２２】
好ましくは、上記個別信号ユニットは、相手先商標製造会社（ＯＥＭ）モジュールとして製品内に統合されるように適合される。
【００２３】
好ましくは、上記中央制御機能は、データベースおよびサーバーを含み、上記中央制御機能は、上記サーバー上にインターネット・ウェブサイトを保持する。
【００２４】
好ましくは、上記システムは、資産監視手段を提供し、上記資産監視は、上記所有者または登録ユーザーに上記資産に影響する事件について警告する。
【００２５】
好ましくは、上記事前定義ステップは、上記個別信号ユニットに接続された出力装置の起動を含む。
【００２６】
好ましくは、ツールソースと上記中央制御機能との間でのデータフローは双方向である。
【００２７】
好ましくは、上記中央制御機能と個別信号ユニットとの間のデータフローは双方向である。
【００２８】
好ましくは、上記中央制御機能とユーザーコンピュータとの間のデータフローは双方向である。
【００２９】
好ましくは、上記独立した当事者は、事前にプログラム化されたツールおよび事前にプログラム化された関連するＩＳＵを提供する。
【００３０】
好ましくは、上記独立した当事者は、ＩＳＵによる特定の事象の検出に応答して、後続サービスを提供する。
【００３１】
好ましくは、後続サービスは、フリーランス提供者によって提供される。
【００３２】
好ましくは、フリーランス提供者は、上記中央制御機能によって制御されるウェブサイト上でそれぞれの可用性を宣伝する。
【００３３】
好ましくは、上記独立した当事者は、上記フリーランス提供者のサービスに従事する。
【００３４】
好ましくは、事象監視の制御権は、上記所有者によって上記中央制御機能に渡される。
【００３５】
好ましくは、上記独立した当事者は、ツール提供に関連して上記ウェブサイトで宣伝する。
【００３６】
従って、本発明の広義の形態の一つでは、インフラストラクチャ監視システムが提供される。上記装置は、中央管理機能に少なくとも一つの通信衛星を経由して通信する、複数の地理的に散在する個別信号ユニットを含み、上記個別信号ユニットは、上記インフラストラクチャの項目の状況変化が発生した場合に、第一のスタンバイ状態から第二の電源入力状態に変えるよう適合され、上記個別信号ユニットはそれぞれ、上記電源入力状態の間、上記中央管理機能に信号を送信し、上記信号は、プログラム化された所定の一連の応答を始動させ、上記装置はそれぞれ、上記信号の送信後上記スタンバイ状態に戻る。
【００３７】
上記個別信号ユニットはそれぞれ固有の信号ユニット識別コードが備わり、上記固有の識別コードは、上記中央管理機能に送信される上記信号から構成されることが好ましい。
【００３８】
上記個別信号ユニットはそれぞれ信号送受信機モジュールが備わっていることが好ましい。
【００３９】
上記個別信号ユニットはそれぞれ再充電式電源供給が備わっていることが好ましい。
【００４０】
上記再充電式電源供給はソーラー電池によって再充電できることが好ましい。
【００４１】
上記個別信号ユニットは少なくとも一つの外部事象センサーが備わっていることが好ましい。
【００４２】
上記少なくとも一つの外部事象センサーは、上記インフラストラクチャの項目の状況変化に応答するよう適合されることが好ましい。
【００４３】
上記個別信号ユニットは上記状況変化で、上記少なくとも一つの外部事象センサーから入力信号を受信することが好ましい。
【００４４】
上記少なくとも一つの外部事象センサーは、上記固有の識別コードの固有の一連の反復送信に関連し、上記固有の一連の反復送信は、上記中央管理機能に送信される上記信号から構成されることが好ましい。
【００４５】
上記個別信号ユニットはそれぞれ、少なくとも一つの遠隔外部事象センサーからの信号を監視するよう適合される外部事象センサーインターフェースが備わっていることが好ましい。
【００４６】
個別信号ユニットはそれぞれ不正防止監視手段が備わり、上記不正防止監視手段は、上記固有の識別コードの固有の一連の反復送信の一つに関連することが好ましい。
【００４７】
上記中央管理機能は上記少なくとも一つの衛星と通信する送受信機モジュールを含むことが好ましい。
【００４８】
好ましくは、上記送受信機モジュールはサーバーおよびデータ保存装置にリンクされ、上記サーバーおよびデータ保存装置は、上記いずれか一つの個別信号ユニットから受信される信号を処理するよう適合される。
【００４９】
上記サーバーおよびデータ保存装置は任意の、複数の事前にプログラム化された出力を開始するよう適合され、上記出力は、上記固有の識別コード、および受信される上記信号から構成される上記固有の識別コードの上記固有の一連の反復送信によって決まることが好ましい。
【００５０】
好ましくは、上記サーバーおよびデータ保存装置は、符号化データの上記個別信号伝達装置への送信を開始するよう適合される。
【００５１】
好ましくは、上記個別信号ユニットに送信される上記符号化データは、上記一つまたは複数の外部事象センサーから受信される入力への、上記個別信号ユニットによってプログラム化された応答ための指示を含む。
【００５２】
上記個別信号ユニットは少なくとも一つの出力リレーが備わり、上記少なくとも一つの出力リレーは外部装置を制御するよう適合されることが好ましい。
【００５３】
上記サーバーおよびデータ保存装置は少なくとも一人の指定された受信者に既定の通信を開始するよう適合され、上記通信は、上記個別信号ユニットから受信される信号によって決まることが好ましい。
【００５４】
上記少なくとも一人の指定された受信者は、上記監視システムの登録されたユーザーであるのが好ましい。
【００５５】
上記少なくとも一人の指定された受信者は、上記監視システムへのサービス提供者であることが望ましい。
【００５６】
上記監視システムの上記登録されたユーザーは、インターネットを通して上記中央管理機能に上記個別信号ユニットを登録することが可能であることが望ましい。
【００５７】
上記個別信号ユニットの登録は、上記個別信号ユニットおよび上記中央管理機能による外部センサー事象への応答に関するデータの提供を含むことが望ましい。
【００５８】
さらに本発明の広義の形態では、地理的に散在するインフラストラクチャの項目の少なくとも一つの状況を監視するための方法が提供され、上記方法は以下のステップを含む。
（ａ）個別信号ユニットをそれぞれの上記インフラストラクチャの項目に設置する。
（ｂ）上記個別信号ユニットに、少なくとも一つの外部事象センサーおよび信号送受信機を提供する。
（ｃ）衛星リンクを経由して、上記個別信号ユニットを中央管理機能にリンクする。
（ｄ）上記中央管理機能にサーバーおよびデータ保存装置を提供し、上記装置は上記個別信号伝達装置から受信される信号に、事前にプログラム化された応答を実行する。
【００５９】
上記個別信号ユニットはそれぞれ、
（ａ）送受信機モジュール
（ｂ）再充電式電力供給および電力制御モジュール
（ｃ）論理回路
（ｄ）少なくとも一つの外部事象センサー
を含むことが好ましい。
【００６０】
好ましくは、上記方法はさらに、
（ａ）上記個別信号ユニットそれぞれに、固有の個別信号ユニット識別コードを提供するステップ、
（ｂ）上記識別コードの固有の一連の反復送信を、上記外部事象センサーそれぞれに関連付けるステップ、
（ｃ）上記インフラストラクチャの項目の上記状況変化が発生した場合、上記個別信号ユニットの固有の一連の反復送信識別コードから構成される信号を上記中央管理機能に送信するよう、上記個別信号ユニットをプログラム化するステップ、
（ｄ）上記事前にプログラム化された応答を、上記個別信号伝達装置から受信される信号に実行するステップ
を含むことが好ましい。
【００６１】
従って、本発明の第一の広義の形態では、個別信号ユニットの少なくとも一つのセンサーによって感知された事故に応答するための装置および監視システムが提供される。第一に上記応答は、上記個別信号ユニットによって中央管理機能へ、通信ネットワークを通して、その個別信号ユニットのための少なくとも一つの固有の識別コードの送信から構成される。第二に上記応答は、上記中央管理機能から、上記個別信号ユニットの登録された所有者によって指定された１人かそれ以上の受信者へのデータの送信から構成される。上記個別信号ユニットの登録、および上記感知と上記応答の構築は、ウェブ基盤のインターフェースを経由する。
【００６２】
好ましくは、上記第一の応答は、上記個別信号ユニットへのデジタルまたはアナログのデータ入力を含む。
【００６３】
好ましくは、上記デジタルまたはアナログのデータはリアルタイムで上記中央管理機能に送信される。
【００６４】
好ましくは、上記デジタルまたはアナログデータは送信の前に、上記個別信号ユニットのデータ保存装置に保存される。
【００６５】
好ましくは、上記少なくとも一つのセンサーは上記個別信号ユニットに内蔵される。
【００６６】
好ましくは、上記少なくとも一つのセンサーは上記個別信号ユニットの入力ポートに接続される外部センサーである。
【００６７】
好ましくは、上記個別信号ユニットはさらに、再充電式電源供給を含む。
【００６８】
好ましくは、上記再充電式電源供給はソーラー電池によって再充電できる。
【００６９】
好ましくは、上記ウェブ基盤インターフェースは、少なくとも一つのウェブページを含み、上記ウェブページは少なくとも一つのデータ入力フィールドが備わる。
【００７０】
好ましくは、上記個別信号ユニットはそれぞれ、固有の個別信号ユニット識別コードが備わり、上記固有の識別コードは、上記中央管理機能へ送信される上記信号から構成される。
【００７１】
好ましくは、上記少なくとも一つの外部事象センサーは上記固有の識別コードの固有の一連の反復送信に関連し、上記固有の一連の反復送信は上記中央管理機能に送信される信号から構成される。
【００７２】
好ましくは、上記個別信号ユニットのそれぞれは、少なくとも一つの外部事象センサーが備わる。
【００７３】
上記少なくとも一つの外部事象センサーが上記センサーの刺激の変化に反応するよう適合されることが好ましい。
【００７４】
上記少なくとも一つの外部事象センサーが所定の刺激に反応するよう適合されることが好ましい。
【００７５】
好ましくは、上記個別信号ユニットは上記刺激の変化で、少なくとも一つの外部事象センサーから入力信号を受信する。
【００７６】
好ましくは、上記中央管理機能は上記通信ネットワークと通信する送受信モジュールを含む。
【００７７】
好ましくは、上記送受信モジュールはサーバーおよびデータ保存装置にリンクされ、上記サーバーおよびデータ保存装置は、上記個別信号ユニットのいずれか一つから受信される信号を処理するよう適合される。
【００７８】
好ましくは、上記サーバーおよびデータ保存装置は、少なくとも一つの事前にプログラム化された出力を開始するよう適合される。上記出力または出力（複数）は、上記固有の識別コードによって決まる。
【００７９】
好ましくは、上記個別信号ユニットは少なくとも一つの入力が備わり、上記少なくとも一つの入力は一つの上記センサーと通信するよう適合される。
【００８０】
好ましくは、上記個別信号ユニットは少なくとも一つの出力が備わり、上記少なくとも一つの出力は外部装置を制御するために使用される。
【００８１】
好ましくは、上記サーバーおよびデータ保存装置は少なくとも一人の指定された受信者に既定の通信を開始するために使用され、上記通信は、上記個別信号ユニットから受信される信号によって決まる。
【００８２】
好ましくは、上記少なくとも一人の指定された受信者は、上記監視システムに登録される上記個別信号ユニットの所有者である。
【００８３】
好ましくは、上記少なくとも一人の指定された受信者は、上記個別信号ユニットの上記所有者によって指定されたサービス提供者である。
【００８４】
さらに本発明の広義の形態では、個別信号ユニットが提供され、上記個別信号ユニットはそれぞれ、
（ａ）送受信機モジュール、
（ｂ）再充電式電源供給および電力制御モジュール、
（ｃ）論理回路、
（ｄ）少なくとも一つの外部事象センサー
を含み、上記個別信号ユニットから上記中央管理機能への信号によって、上記中央管理機能は複数の所定のステップを実行し、上記所定のステップは、上記個別信号ユニットの所有者によって構築される。
【００８５】
また本発明の広義の形態では、監視システムを提供する。上記装置は個別信号ユニット、および上記個別信号ユニットに接続される少なくとも一つの所有者選択式センサーから構成され、上記個別信号ユニットおよび上記少なくとも一つのセンサーは、上記ユーザーによって中央管理機能に登録され、上記個別信号ユニットは、上記少なくとも一つのセンサーが事故を検出するとき、固有の装置識別コードを上記中央管理機能に送信するようプログラム化され、上記中央管理機能は、上記所有者による上記ユニットの登録で設立されたプロトコルに従って送信される上記固有の装置識別コードに応答する。
【００８６】
またさらに本発明の広義の形態では、インターネットおよび通信システムによって可能な監視システムを提供する。上記システムは、複数の個別信号ユニットを含み、それぞれの上記装置は少なくとも一つの所有者選択式センサーに接続され、それぞれの上記個別信号ユニットおよび上記少なくとも一つのセンサーは、インターネットを通して上記所有者によって中央管理機能に登録され、上記中央管理機能は、上記所有者による登録で設立されたプロトコルに従って上記センサーによって感知される事故に応答する。
【００８７】
またさらに本発明の広義の形態では、関心項目の状況を監視する方法が提供され、上記方法は、以下のステップを含む。
（ａ）個別信号ユニット、および上記装置への接続するための少なくとも一つのユーザー選択式センサーの所有者による購入。
（ｂ）上記個別信号ユニットおよび上記少なくとも一つのセンサーを、中央管理機能に登録。
（ｃ）上記個別信号ユニットによって送信される信号の上記機能による受信で、上記中央管理機能によって実行可能な応答を構築。
【００８８】
好ましくは、上記信号は上記個別信号ユニットの固有の識別コードから構成される。
【００８９】
好ましくは、上記個別信号ユニットの上記登録は、以下のステップを含む。
（ｄ）上記中央管理機能によって維持されるウェブサイトにアクセスする
（ｅ）ユーザー名およびパスワードを上記中央管理機能で開設する。
（ｆ）上記ウェブサイトに上記個別信号ユニットの登録コードを入力する。
（ｇ）ユーザーが選択した上記個別信号ユニットのための識別ネームを入力する。
（ｈ）上記個別信号ユニットに接続される一つまたは複数のセンサーの詳細を入力する。
（ｉ）上記中央管理機能によって実行可能な上記応答の詳細を入力する。
【００９０】
本発明の他の広義の形態では、少なくとも一つのインフラストラクチャの地理的に離れた項目の態様の状況を監視する方法が提供される。上記方法は以下のステップを含む。
（ａ）個別信号ユニットをそれぞれの上記インフラストラクチャの項目に設置する。
（ｂ）上記個別信号ユニットに、少なくとも一つの外部事象センサーおよび信号送受信機を提供する。
（ｃ）通信ネットワークを経由して、上記個別信号ユニットを中央管理機能にリンクする。
（ｄ）上記中央管理機能にサーバーおよびデータ保存装置を提供し、上記装置は上記個別信号伝達装置から受信される信号に、事前にプログラム化された応答を実行する。
【００９１】
本発明のまた他の広義の形態では、インフラストラクチャ監視システムの装置が提供される。上記装置は、少なくとも一つの通信衛星を経由して中央管理機能と通信する複数の地理的に散在する個別信号伝達装置を含み、上記個別信号伝達装置は、上記インフラストラクチャの項目の状況変化が発生した場合、第一のスタンバイ状態から第二の電源入力状態に変えるよう適合され、上記個別信号伝達装置の装置はそれぞれ、上記電源入力状態の間、中央管理機能に信号を送信し、上記信号はプログラム化された所定の一連の応答を始動させ、上記装置はそれぞれ、上記信号の送信後上記スタンバイ状態に戻る。
【００９２】
好ましくは、個別信号伝達装置はそれぞれ、固有の信号伝達装置識別コードが備わり、上記固有の信号伝達装置識別コードは、上記中央管理機能に送信される信号から構成される。
【００９３】
好ましくは、それぞれの上記個別信号伝達装置は信号送受信機モジュールが備わる。
【００９４】
好ましくは、それぞれの上記個別信号伝達装置は再充電式電力供給が備わる。
【００９５】
好ましくは、上記再充電式電力供給は、ソーラー電池によって再充電できる。
【００９６】
好ましくは、上記個別信号伝達装置はそれぞれ、少なくとも一つの外部事象センサーが備わる。
【００９７】
好ましくは、上記少なくとも一つの外部事象センサーは、上記インフラストラクチャの項目の状況変化に応答するよう適合される。
【００９８】
好ましくは、上記個別信号伝達装置は、上記状況変化で上記少なくとも一つの外部事象センサーから入力信号を受信する。
【００９９】
好ましくは、上記少なくとも一つの外部事象センサーはそれぞれ、上記固有の識別コードの固有の一連の反復送信に関連し、上記固有の一連の反復送信は、上記中央管理機能に送信される上記信号から構成される。
【０１００】
好ましくは、それぞれの上記個別信号伝達装置は、少なくとも一つの遠隔外部事象センサーからの信号を監視するよう適合される、外部事象センサーインターフェースが備わる。
【０１０１】
好ましくは、それぞれの上記個別信号伝達装置は不正防止監視手段が備わり、上記不正防止監視手段は、上記固有の識別コードの固有の一連の反復送信に関連する。
【０１０２】
好ましくは、上記中央管理機能は、上記少なくとも一つの衛星と通信する送受信機モジュールを含む。
【０１０３】
好ましくは、上記送受信機モジュールはサーバーおよびデータ保存装置にリンクされ、上記サーバーおよびデータ保存装置は、上記個別信号伝達装置のいずれか一つから受信される信号を処理するよう適合される。
【０１０４】
好ましくは、上記サーバーおよびデータ保存装置は任意の複数の既定の出力を開始するよう適合され、上記出力は、上記固有の識別コード、および受信される上記信号から構成される上記固有の識別コードの上記固有の一連の反復送信によって決まる。
【０１０５】
好ましくは、上記サーバーおよびデータ保存装置は、符号化データの上記個別信号伝達装置への送信を開始するよう適合される。
【０１０６】
好ましくは、上記個別信号伝達装置に送信される上記符号化データは、上記一つまたは複数の外部事象センサーから受信される入力への、上記個別信号伝達装置によってプログラム化された応答のための指示を含む。
【０１０７】
好ましくは、上記個別信号伝達装置は少なくとも一つの出力リレーが備わり、上記少なくとも一人の出力リレーは外部装置を制御するよう適合される。
【０１０８】
好ましくは、上記サーバーおよびデータ保存装置は、少なくとも一人の指定された受信者に既定の通信を開始するよう適合され、上記通信は上記個別信号伝達装置から受信される信号によって決まる。
【０１０９】
好ましくは、上記少なくとも一人の指定された受信者は上記監視システムの登録されたユーザーである。
【０１１０】
好ましくは、上記少なくとも一人の指定された受信者は上記監視システムへのサービス提供者である。
【０１１１】
好ましくは、上記監視システムの上記登録されたユーザーは、上記個別信号伝達装置を上記中央管理機能に、インターネットを通して登録することが可能である。
【０１１２】
好ましくは、上記個別信号伝達装置の登録は、上記個別信号伝達装置および上記中央管理機能による外部センサー事象への応答に関するデータの提供を含む。
【０１１３】
本発明の他の広義の形態では、少なくとも一つのインフラストラクチャの地理的に離れた項目の様相の状況を監視する方法が提供される。上記方法は以下のステップを含む。
（ｅ）個別信号伝達装置をそれぞれの上記インフラストラクチャの項目に設置する。
（ｆ）上記個別信号伝達装置に少なくとも一つの外部事象センサーおよび信号送受信機を提供する。
（ｇ）衛星リンクを経由して、上記個別信号伝達装置を中央管理機能にリンクする。
（ｈ）上記中央管理機能にサーバーおよびデータ保存装置を提供し、上記装置は上記個別信号伝達装置から受信される信号に、事前にプログラム化された応答を実行するよう適合される。
【０１１４】
好ましくは、上記個別信号伝達装置はそれぞれ、
（ｅ）送受信機モジュール、
（ｆ）再充電式電源供給および電力制御モジュール、
（ｇ）論理回路、
（ｈ）少なくとも一つの外部事象センサー
を含む。
【０１１５】
好ましくは、上記方法はさらに次のステップを含む。
（ａ）上記個別信号伝達装置それぞれに、固有の信号伝達装置識別コードを提供する。
（ｂ）上記識別コードの固有の一連の反復送信を、上記外部事象センサーそれぞれに関連付ける。
（ｃ）上記インフラストラクチャの項目の状況変化が発生した場合、上記信号伝達装置の上記固有の一連の反復送信識別コードから構成される信号を上記中央管理機能に送信するよう、上記個別信号伝達装置をプログラム化する。
（ｄ）上記事前にプログラム化された応答を、上記個別信号伝達装置から受信される信号に実行する。
【０１１６】
本発明のまた他の広義の形態では、個別信号ユニットが提供され、上記個別信号ユニットはそれぞれ、
（ａ）送受信機モジュール、
（ｂ）再充電式電源供給および電力制御モジュール、
（ｃ）論理回路、
（ｄ）少なくとも一つの外部事象センサー
を含み、上記個別信号ユニットから中央管理機能への信号によって、上記中央管理機能は複数の所定のステップを実行し、上記所定のステップは上記個別信号ユニットの所有者によって構築される。
【０１１７】
本発明のまた他の広義の形態では、個別信号ユニットを含む監視システムが提供される。上記個別信号ユニットは、事象センサーが上記個別信号ユニットを起動するとき中央管理機能と通信し、上記中央管理機能は、上記個別信号ユニットからの通信の受信に複数の所定のステップを実行し、上記所定のステップは、上記個別信号ユニットの所有者または登録されたユーザーによって構築される。
【０１１８】
上記個別信号ユニットと上記中央管理機能の間の通信は、距離によって制限されないことが好ましい。
【０１１９】
好ましくは、上記個別信号ユニットは、上記中央管理機能に関して任意の場所に設置されうる。
【０１２０】
上記個別信号は上記中央管理機能から独立して移動できることが好ましい。
【０１２１】
上記個別信号ユニットと上記中央管理機能の間の上記通信は、任意の通信ネットワークを用いることが好ましい。
【０１２２】
好ましくは、上記所定のステップは、上記中央管理機能と上記個別信号ユニットの上記所有者または登録されたユーザーの間の通信が含まれる。
【０１２３】
好ましくは、上記中央管理機能と上記所有者または登録されたユーザーの間の上記通信は、任意の通信ネットワークを用いる。
【０１２４】
好ましくは、上記所定のステップは上記所定のステップの第一層および第二層を含みうる。
【０１２５】
好ましくは、所定のステップの上記第二層の選択された一つは、上記中央管理機能と上記所有者または登録されたユーザーの間の上記通信への応答に従って、上記中央管理機能によって実行されうる。
【０１２６】
好ましくは、上記個別信号ユニットはプログラム化が可能である。
【０１２７】
好ましくは、上記個別信号ユニットはグラフィック・ディスプレイを含む。
【０１２８】
好ましくは、上記個別信号ユニットは任意の外部感知装置からの信号入力に順応するよう構築可能である。
【０１２９】
好ましくは、上記個別信号ユニットは任意の上記通信ネットワークに出力信号を許可するよう構築可能である。
【０１３０】
好ましくは、上記個別信号ユニットは、相手先商標製造会社（ＯＥＭ）モジュールとして製品と統合されるよう適合される。
【０１３１】
好ましくは、上記中央管理機能はデータベースおよびサーバーを含み、上記中央管理機能は上記サーバーでインターネット・ウェブサイトを維持する。
【０１３２】
好ましくは、上記システムは資産監視の手段を提供し、上記資産監視は上記資産に影響を及ぼす事故を上記所有者または登録されたユーザーに警告する。
【０１３３】
好ましくは、上記所定のステップは上記個別信号ユニットに接続される出力デバイスの起動を含む。
【０１３４】
本発明の他の広義の形態では、監視システムから収入を得る方法を提供する。上記監視システムは、中央管理機能と通信する遠隔的に設置された個別信号ユニットを含み、上記方法は、
（ａ）上記個別信号ユニットの販売、
（ｂ）上記個別信号の賃貸、
（ｃ）期間登録費の料金、
（ｄ）ネットワークサービス料金、
（ｅ）開発、プログラミング、およびデザイン料金、
（ｆ）特注または改良アプリケーションのライセンス料金、
（ｇ）産業協力コミッションの収集、
（ｈ）監視代理店およびサービス提供者のライセンス料
を含む。
【０１３５】
従って、本発明の広義の一形態では、インフラストラクチャ監視システムの装置であって、少なくとも一つの通信衛星を介して中央制御機能と通信する複数の地理的に分散した個別信号ユニットを含み、上記個別信号ユニットは、上記インフラストラクチャの設備の状態に変化が発生した場合、第一のスタンバイ状態から第二の電源入力状態に変化するように適合され、上記個別信号ユニットの各装置は、上記電源入力状態中に信号を上記中央制御機能に送信し、上記信号は、プログラムされた事前定義応答シーケンスを始動させ、上記装置のそれぞれは、上記信号の送信後、上記スタンバイ状態に戻る、装置が提供される。
【０１３６】
好ましくは、上記個別信号ユニットのそれぞれには、一意の信号ユニット識別コードが提供され、上記一意の識別コードは、上記中央制御機能に送信される上記信号を含む。
【０１３７】
好ましくは、上記個別信号ユニットのそれぞれには、信号送受信機モジュールが提供される。
【０１３８】
好ましくは、上記個別信号ユニットのそれぞれには、再充電式電源が提供される。
【０１３９】
好ましくは、上記再充電式電源は、ソーラー電池アレイによって充電される。
【０１４０】
好ましくは、上記個別信号ユニットのそれぞれには、少なくとも一つの外部事象センサーが提供される。
【０１４１】
好ましくは、上記少なくとも一つの外部事象センサーは、インフラストラクチャの上記設備の状態変化に応答するように適合される。
【０１４２】
好ましくは、上記個別信号ユニットは、前記状態変更時に、上記少なくとも一つの外部事象センサーから入力信号を受信する。
【０１４３】
好ましくは、上記少なくとも一つの外部事象センサーのそれぞれには、上記一意の識別コードの固有の一連の反復送信が関連付けられ、上記固有の一連の反復送信は、上記中央制御機能に送信された上記信号を含む。
【０１４４】
好ましくは、上記個別信号ユニットのそれぞれには、少なくとも一つの遠隔外部事象センサーからの信号を監視するように適合された外部事象センサーインターフェースが提供される。
【０１４５】
好ましくは、上記個別信号ユニットのそれぞれには、不正防止監視手段が提供され、上記不正防止監視手段には、上記一意の識別コードの一つの上記固有の一連の反復送信が関連付けられる。
【０１４６】
好ましくは、上記中央制御機能は、上記少なくとも一つの衛星と通信する送受信機モジュールを含む。
【０１４７】
好ましくは、上記送受信機モジュールはサーバーおよびデータ保存装置にリンクされ、上記サーバーおよびデータ保存装置は、上記個別信号ユニットのうちの任意の一つから受信した信号を処理するように適合される。
【０１４８】
好ましくは、上記サーバーおよびデータ保存装置は、事前にプログラム化された複数の出力のうちの任意の出力を開始するように適合され、上記出力は、上記一意の識別コードおよび受信した上記信号を含む上記一意の識別コードの上記固有の一連の反復送信に依存する。
【０１４９】
好ましくは、上記サーバーおよびデータ保存装置は、上記個別信号ユニットへの符号化データの送信を開始するように適合される。
【０１５０】
好ましくは、上記個別信号ユニットに送信される上記符号化データは、上記一つまたは複数の外部事象センサーから受信した入力に対する上記個別信号ユニットによるプログラムされた応答についての命令を含む。
【０１５１】
好ましくは、上記個別信号ユニットには、少なくとも一つの出力リレーが提供され、上記少なくとも一つの出力リレーは外部装置を制御するように適合される。
【０１５２】
好ましくは、上記サーバーおよびデータ保存装置は、少なくとも１人の指定された受信者に対する所定の通信を開始するように適合され、上記通信は、上記個別信号ユニットから受信される信号に依存する。
【０１５３】
好ましくは、上記少なくとも１人の指定の受信者は、上記監視システムの登録ユーザーである。
【０１５４】
好ましくは、上記少なくとも１人の指定の受信者は、上記監視システムへのサービス提供者である。
【０１５５】
好ましくは、上記監視システムの上記登録ユーザーは、インターネットを介して上記中央制御機能に上記個別信号ユニットを登録することが可能である。
【０１５６】
好ましくは、上記個別信号ユニットの登録は、上記個別信号ユニットおよび上記中央制御機能による外部センサー事象に対する応答に関連するデータの提供を含む。
【０１５７】
本発明の広義のさらなる形態では、インフラストラクチャの地理的に分散した設備の少なくとも一つの様相の状況を監視する方法であって、
（ｉ）個別信号ユニットを上記インフラストラクチャの設備のそれぞれに設置するステップ、
（ｊ）上記個別信号ユニットに、少なくとも一つの外部事象センサーおよび信号送受信機を提供するステップ、
（ｋ）衛星リンクによって上記個別信号ユニットを中央制御機能にリンクするステップ、
（ｌ）上記中央制御機能にサーバーおよびデータ保存装置を提供するステップであって、上記装置は、上記単独シグナリング装置から受信した信号に対する事前にプログラム化された応答を実行するように適合される、提供するステップ
を含む、方法が提供される。
【０１５８】
好ましくは、上記個別信号ユニットのそれぞれは、
（ｉ）送受信機モジュール、
（ｊ）再充電式電源および電力制御モジュール、
（ｋ）論理回路、
（ｌ）少なくとも一つの外部事象センサー
を含む。
【０１５９】
好ましくは、上記方法は、
（ａ）上記個別信号ユニットのそれぞれに、一意の個別信号ユニット識別コードを提供するステップ、
（ｂ）上記外部事象センサーのそれぞれに上記識別コードの固有の一連の反復送信を関連付けるステップ、
（ｃ）上記インフラストラクチャの設備の上記状態に変化が発生した場合、上記個別信号ユニットの上記一意の識別コード一連の反復送信を含む信号を送信するように上記個別信号ユニットをプログラムするステップ、
（ｄ）上記単独シグナリング装置から受信した信号に応答して、上記事前にプログラム化された応答を実行するステップ
をさらに含む。
【０１６０】
従って、本発明の広義の第一の形態では、個別信号ユニットの少なくとも一つのセンサーによって感知された事件に応答する装置および監視システムであって、上記応答は、第一のインスタンスでは、上記個別信号ユニットによって通信ネットワークを介して中央制御機能に、その個別信号ユニットの一意の識別コードを送信することを含み、上記応答は、第二のインスタンスにおいて、上記個別信号ユニットの登録所有者によって指定された一つまたは複数の受信者に、上記中央制御機能からのデータを送信することを含み、上記個別信号ユニットの登録ならびに上記感知および上記応答の構成は、ウェブベースのインターフェースを介する、装置および監視システムが提供される。
【０１６１】
好ましくは、上記第一のインスタンスでの上記応答は、上記個別信号ユニットへのデジタルデータ入力またはアナログデータ入力を含む。
【０１６２】
好ましくは、上記デジタルまたはアナログのデータは、上記中央制御機能にリアルタイムで送信される。
【０１６３】
好ましくは、上記デジタルまたはアナログのデータは、送信前に、上記個別信号ユニットのデータ保存装置に記憶される。
【０１６４】
好ましくは、上記少なくとも一つのセンサーは、上記個別信号ユニット内に組み込まれる。
【０１６５】
好ましくは、上記少なくとも一つのセンサーは、上記個別信号ユニットの入力ポートに接続された外部センサーである。
【０１６６】
好ましくは、上記個別信号ユニットは、再充電式電源をさらに含む。
【０１６７】
好ましくは、上記再充電式電源は、ソーラー電池アレイによって充電される。
【０１６８】
好ましくは、上記ウェブベースのインターフェースは少なくとも一つのウェブページを含み、上記ウェブページには、少なくとも一つのデータ入力フィールドが提供される。
【０１６９】
好ましくは、上記個別信号ユニットのそれぞれには、一意の個別信号ユニット識別コードが提供され、上記一意の識別コードは、上記中央制御機能に送信された上記信号を含む。
【０１７０】
好ましくは、上記少なくとも一つの外部事象センサーのそれぞれには、上記一意の識別コードの固有の一連の反復送信が関連付けられ、上記固有の一連の反復送信は、上記中央制御機能に送信された上記信号を含む。
【０１７１】
好ましくは、上記個別信号ユニットそれぞれのには、少なくとも一つの外部事象センサーが提供される。
【０１７２】
好ましくは、上記少なくとも一つの外部事象センサーは、上記センサーの刺激変化に応答するように適合される。
【０１７３】
好ましくは、上記少なくとも一つの外部事象センサーは、事前定義された刺激に応答するように適合される。
【０１７４】
好ましくは、上記個別信号ユニットは、上記刺激の変化時に、上記少なくとも一つの外部事象センサーから入力信号を受信する。
【０１７５】
好ましくは、上記中央制御機能は、上記通信ネットワークを通信する送受信機モジュールを含む。
【０１７６】
好ましくは、上記送受信機モジュールはサーバーおよびデータ保存装置にリンクされ、上記サーバーおよびデータ保存装置は、上記個別信号ユニットのうちの任意の一つから受信した信号を処理するように適合される。
【０１７７】
好ましくは、上記サーバーおよびデータ保存装置は、少なくとも一つの事前にプログラム化された出力を開始するように適合され、上記一つまたは複数の出力は、上記一意の識別データに依存する。
【０１７８】
好ましくは、上記個別信号ユニットには、少なくとも一つの入力が提供され、上記少なくとも一つの入力は、一つの上記センサーと通信するように適合される。
【０１７９】
好ましくは、上記個別信号ユニットには、少なくとも一つの出力が提供され、上記少なくとも一つの出力は外部装置を制御するように適合される。
【０１８０】
好ましくは、上記サーバーおよびデータ保存装置は、少なくとも１人の指定された受信者に対する所定の通信を開始するように適合され、上記通信は、上記個別信号ユニットから受信される信号に依存する。
【０１８１】
好ましくは、上記少なくとも１人の指定の受信者は、上記監視システムに登録した上記個別信号ユニットの所有者である。
【０１８２】
好ましくは、上記少なくとも１人の指定の受信者は、上記個別信号ユニットの上記所有者によって指定されたサービス提供者である。
【０１８３】
好ましくは、本発明の広義のさらなる形態では、個別信号ユニットであって、それぞれ、
（ｅ）送受信機モジュール、
（ｆ）再充電式電源および電力制御モジュール、
（ｇ）論理回路、
（ｈ）少なくとも一つの外部事象センサー
を含み、上記個別信号ユニットから中央制御機能への信号により、上記中央制御機能に一つまたは複数の事前定義ステップを実行させ、前記事前定義ステップは、上記個別信号ユニットの所有者によって構成される、個別信号ユニットが提供される。
【０１８４】
本発明の広義の別の形態では、監視システムであって、個別信号ユニットおよび上記個別信号ユニットに接続された少なくとも一つの所有者選択可能なセンサーを備え、上記個別信号ユニットおよび上記少なくとも一つのセンサーは、上記ユーザーによって中央制御機能に登録され、上記個別信号ユニットは、上記少なくとも一つのセンサーが事件を検出した場合、上記中央制御機能に一意の装置識別コードを送信するようにプログラムされ、上記中央制御機能は、上記所有者による上記ユニットの登録時に確立されたプロトコルに従って、送信された上記一意の装置識別コードに応答する、装置が提供される。
【０１８５】
本発明の広義のさらなる形態では、インターネットおよび通信システムによって可能になる監視システムであって、いくつかの個別信号ユニットを含み、上記装置のそれぞれは少なくとも一つの所有者選択可能なセンサーに接続され、上記個別信号ユニットおよび上記少なくとも一つのセンサーのそれぞれは、上記インターネットを介して上記所有者によって中央制御機能に登録され、上記中央制御機能は、前記所有者による登録時に確立されたプロトコルに従って、上記センサーによって感知された事件に応答する、監視システムが提供される。
【０１８６】
本発明の広義のさらなる形態では、対象となる項目の状態を監視する方法であって、
（ｉ）個別信号ユニットの所有者が、上記装置に接続する少なくとも一つのユーザー選択式のセンサーを購入するステップ、
（ｊ）上記個別信号ユニットおよび上記少なくとも一つのセンサーを中央制御機能に登録するステップ、
（ｋ）上記個別信号ユニットによって送信された信号を上記機構が受信したことを受けて、上記中央制御機能によって実行可能な応答を構成するステップ
を含む、方法が提供される。
【０１８７】
好ましくは、上記信号は、上記個別信号ユニットの一意の識別コードを含む。
【０１８８】
好ましくは、上記個別信号ユニットの上記登録は、
（ｌ）上記中央制御機能によって保持されるウェブサイトにアクセスするステップ、
（ｍ）上記中央制御機能とユーザー名およびパスワードを確立するステップ、
（ｎ）上記ウェブサイトに、上記個別信号ユニットの登録コードを入力するステップ、
（ｏ）上記個別信号ユニットのユーザー選択された識別子名を入力するステップ、
（ｐ）上記個別信号ユニットに接続される一つまたは複数のセンサーの詳細を入力するステップ、
（ｑ）上記中央制御機能によって実行可能な上記応答の詳細を入力するステップ
を含む。
【０１８９】
本発明の広義の別の形態では、インフラストラクチャの地理的に分散した項目の少なくとも一つの様相の状況を監視する方法であって、
（ｒ）個別信号ユニットを上記インフラストラクチャの各項目に設置するステップ、
（ｓ）上記個別信号ユニットに、少なくとも一つの外部事象センサーおよび信号送受信機を提供するステップ、
（ｔ）通信ネットワークを介して上記個別信号ユニットを中央制御機能にリンクするステップ、
（ｕ）上記中央制御機能に、サーバーおよびデータ保存装置を提供するステップであって、上記装置は、上記単独シグナリング装置から受信した信号に対して、事前にプログラム化された応答を実行するように適合される、提供するステップ
を含む、方法が提供される。
【０１９０】
本発明の実施形態について、添付の図面を参照してこれより説明する。
【図面の簡単な説明】
【００００】
【図１Ａ】  本発明による監視システムの装置とユーザーとの間の通信の好適な構成の表現を含む。
【図１Ｂ】  本発明による監視システムの装置とユーザーとの間の通信の好適な構成の表現を含む。
【図２】図１の配置の個別信号ユニット（ＩＳＵ）の、好適な実施形態の概略図である。
【図３】本発明による個別信号ユニットのための、好適なエンクロージャーの斜視図である。
【図４】個別信号ユニットの一実施形態の原理内部構成材を示す、図３のエンクロージャーの分解斜視図である。
【図５】個別信号ユニットの実施形態の回路図である。
【図６】個別信号ユニットを中央管理機能に登録するための可能なウェブサイトのページである。
【図７】個別信号ユニットを中央管理機能に登録するための可能なウェブサイトのページである。
【図８】個別信号ユニットを中央管理機能に登録するための可能なウェブサイトのページである。
【図９】個別信号ユニットを中央管理機能に登録するための可能なウェブサイトのページである。
【図１０】個別信号ユニットを中央管理機能に登録するための可能なウェブサイトのページである。
【図１１】個別信号ユニットを中央管理機能に登録するための可能なウェブサイトのページである。
【図１２】個別信号ユニットを中央管理機能に登録するための可能なウェブサイトのページである。
【図１３】個別信号ユニットの構築のための、図６−図１２のウェブサイトの追加的ページである。
【図１４】個別信号ユニットの構築のための、図６−図１２のウェブサイトの追加的ページである。
【図１５】個別信号ユニットの構築のための、図６−図１２のウェブサイトの追加的ページである。
【図１６】個別信号ユニットの構築のための、図６−図１２のウェブサイトの追加的ページである。
【図１７】所有者または権限者が個別信号ユニットによって収集されたデータにアクセスできるよう適合される、ウェブサイトの追加的ページである。
【図１８】所有者または権限者が個別信号ユニットによって収集されたデータにアクセスできるよう適合される、ウェブサイトの追加的ページである。
【図１９】所有者または権限者が個別信号ユニットによって収集されたデータにアクセスできるよう適合される、ウェブサイトの追加的ページである。
【図２０Ａ】個別信号ユニット（ＩＳＵ）と様々な通信システム、入力デバイス、中央管理機能と機能の出力の、ウェブサイトとの相互接続の表示例の図である。
【図２０Ｂ】個別信号ユニット（ＩＳＵ）と様々な通信システム、入力デバイス、中央管理機能と機能の出力の、ウェブサイトとの相互接続の表示例の図である。
【図２０Ｃ】個別信号ユニット（ＩＳＵ）と様々な通信システム、入力デバイス、中央管理機能と機能の出力の、ウェブサイトとの相互接続の表示例の図である。
【図２０Ｄ】個別信号ユニット（ＩＳＵ）と様々な通信システム、入力デバイス、中央管理機能と機能の出力の、ウェブサイトとの相互接続の表示例の図である。
【図２０Ｅ】個別信号ユニット（ＩＳＵ）と様々な通信システム、入力デバイス、中央管理機能と機能の出力の、ウェブサイトとの相互接続の表示例の図である。
【図２０Ｆ】個別信号ユニット（ＩＳＵ）と様々な通信システム、入力デバイス、中央管理機能と機能の出力の、ウェブサイトとの相互接続の表示例の図である。
【図２０Ｇ】個別信号ユニット（ＩＳＵ）と様々な通信システム、入力デバイス、中央管理機能と機能の出力の、ウェブサイトとの相互接続の表示例の図である。
【図２０Ｈ】個別信号ユニット（ＩＳＵ）と様々な通信システム、入力デバイス、中央管理機能と機能の出力の、ウェブサイトとの相互接続の表示例の図である。
【図２１】車両に搭載されたコンピュータのＩＳＵのインターフェースを含む、車両に設置されたＩＳＵの様々なアプリケーションおよび機能を示す。
【図２２】車両に搭載されたコンピュータのＩＳＵのインターフェースを含む、車両に設置されたＩＳＵの様々なアプリケーションおよび機能を示す。
【図２３】車両に搭載されたコンピュータのＩＳＵのインターフェースを含む、車両に設置されたＩＳＵの様々なアプリケーションおよび機能を示す。
【図２４】車両の性能監視および点検手配の様相を登録するための、可能なウェブサイトの２ページである。
【図２５】車両の性能監視および点検手配の様相を登録するための、可能なウェブサイトの２ページである。
【図２６】車両点検の手配に、車両搭載ＩＳＵを用いて促進される相互作用を示す。
【図２７】ＩＳＵが備わる車両にサービスを提供する意志のある車両サービス提供者の登録のための、中央管理機能によって提供されるウェブページを示す。
【図２８】中央管理機能に登録する車両サービス提供者から出されうる、収益源の一例を示す。
【図２９】  本発明のさらなる実施形態によるシステムの主要構成要素間の通信リンクのブロック図である。
【図３０】  本発明の第三の実施形態によるシステムのスクリーンショットを含む。
【図３１】  本発明の第三の実施形態によるシステムのスクリーンショットを含む。
【図３２】  本発明の第三の実施形態によるシステムのスクリーンショットを含む。
【図３３】  本発明の第三の実施形態によるシステムのスクリーンショットを含む。
【図３４】  本発明の第三の実施形態によるシステムのスクリーンショットを含む。
【図３５】  本発明の第三の実施形態によるシステムのスクリーンショットを含む。
【図３６】  本発明の第三の実施形態によるシステムのスクリーンショットを含む。
【図３７】  本発明の第三の実施形態によるシステムのスクリーンショットを含む。
【図３８】  本発明の第三の実施形態によるシステムのスクリーンショットを含む。
【図３９】  本発明の第三の実施形態によるシステムのスクリーンショットを含む。
【図４１】  本発明の第三の実施形態によるシステムのスクリーンショットを含む。
【図４２】  本発明の第三の実施形態によるシステムのスクリーンショットを含む。
【図４３】  本発明の第三の実施形態によるシステムのスクリーンショットを含む。
【図４４】  本発明の第三の実施形態によるシステムのスクリーンショットを含む。
【図４５】  本発明の第三の実施形態によるシステムのスクリーンショットを含む。
【発明を実施するための形態】
【０１９１】
好適な実施形態の詳細な説明
以下の詳細な説明は、本出願人の先に出願された（特許文献１）に付与された説明を基礎とする。この場合、注目すべき特徴は、上述した基本システムが生成され、これに関連して、以下に提供する開示を可能にする「開発コミュニティ」に関する。一観点から、システムは、関わる距離およびコントローラもしくは資産の可動性に関わりなくインターネットを介し、単純な「自分でやる（do it yourself）」設置のみを必要とする資産の制御を提供する。システムは、インターネットを介してユーザーにより構成される。ユーザーによる構成に利用可能なツールは、多数の第三者によるウィキ（wiki）スタイルのコラボレーションで提供することができ、利用可能な特徴を時間の経過に伴ってコラボレーションの文脈の中で増大させることができる。個別信号ユニット２２の具体的な実施形態は、それ自体、ユーザーの発想およびコラボレートする当事者によって提供されるツールの発想に応じてプログラム可能、再プログラム可能、構成可能、かつ再構成可能である。
【０１９２】
第一の好適な実施形態
図１Ａを参照して、本発明の第一の好適な実施形態による再構成可能で協働的に拡張可能な監視システム２００を示す。この場合、システムは、図１Ｂ（以下参照）を参照して説明される構成要素を備える。この場合での強調点は、第三者提供者２０１（この場合、Ｐ１、Ｐ２、Ｐ３、・・・、ＰＮと記される）が各ツール２０２（この場合、それぞれＴ１、Ｔ２、Ｔ３、・・・、ＴＮと指定される）を提供する、システム２００の再構成可能性および協働入力を中心に展開され、ツールは、個別信号ユニット２２によって検出され報告された事象の結果として実行されるステップまたは動作を定義するために、それぞれ一つまたは複数の個別信号ユニット２２のユーザー／所有者／指定受信者３０による利用に提供される。ツール２０２は、好ましくは、ウェブインターフェース画面２０３を介してユーザー３０に提供され、ウェブインターフェース画面２０３は、個々人のユーザー３０が、事象２０６（事象１、２、３、・・・Ｎ）に応答する事前定義ステップ２０５（ステップ１、２、３、・・・Ｎ）のスケジュールを組み立てることができるツール組立ペイン２０４を含む。事前定義ステップの組み立て様式については、本明細書においてより詳細にさらに説明する。このようにして、一つまたは複数の個別信号ユニット２２のユーザー３０は、第三者提供者２０１によって供給されるツールに基づいて、数が増大し続けるツールから選択されたツール２０２を使用して、個別信号ユニット２２によって検出された事象に対する応答をプログラムすることができる。
【０１９３】
図１は、本発明の好適な実施形態による、監視システム１０に含まれる装置および接続の図表示である。中央管理機能１２は、送受信機１８にリンクされるデータ処理サーバー１４およびデータ保存装置１６を含む。中央管理機能１２は携帯電話ネットワークなどの通信ネットワークと、または例として図１に示されるように、送受信機１８を用いて少なくとも一つの通信衛星２０と、無線通信する。
【０１９４】
通信衛星２０の例では、例としてグローバル・システム・フォー・モバイル・コミュニケーション（ＧＳＭ）、汎用パケット無線システム（ＧＰＲＳ）、または同様の通信ネットワーク２１などを経由して複数の個別信号ユニット２２と次々と遠隔通信連絡をする。個別信号ユニット２２は、システムの登録されたユーザーに属し、および通信衛星（または衛星）２０または他の通信ネットワークの、信号足跡の範囲内の任意の場所に設置されうる。
【０１９５】
個別信号ユニット２２にはそれぞれ固有の識別コードが割り当てられ、および設置される環境によって複数の物理的構築が取られうる。図３は、様々な入力および出力装置のあるエンクロージャー５０から構成される、個別信号ユニットの好適な一実施形態を示す。いくつかの好適な形態では少なくとも、内部電力供給、および装置を様々な構造体および表面に取り付けるための取り付けおよび他の接着手段のある、丈夫な、防湿および不正防止の外皮から構成される。他の好適な形態では、装置は製造時に、例として街灯のランタン構造にあるような設備（装置）の要素が内蔵されうる。
【０１９６】
監視システムの装置は、個別信号ユニット２２と共に、またはそれに加えて購入可能ないくつかの標準センサー装置を含み得る。各センサー装置は、事前定義される刺激に応答するように適合され、例えば、電力状態センサー、煙検出センサー、移動検出センサー、ドアまたは窓が開くことのセンサー、ボタン押下センサー、流体レベルセンサー、不正防止センサー、ＧＰＳシステムおよびビデオカメラを介してのロケーションセンサーを含み得る。これら標準センサー装置は、図４に示す入力接続６４もしくはＵＳＢポート、または装置に提供された他の標準インターフェースポートのうちの一つを介して、個別信号ユニット２２への単純なプラグインとして提供される。
【０１９７】
個別信号ユニット２２には、電源故障などの内部エラー監視機能がさらに提供され得る。また好ましくは、個別信号ユニット２２には、例えば、許可を受けていない人物による不正防止または動物による妨害を中央制御機能１２に警告する干渉センサーが備えられる。
【０１９８】
少なくとも一つの好適な実施形態での個別信号ユニット２２には、センサー監視事象に対する事前にプログラム化された応答に従って一つまたは複数の外部装置を起動させる出力リレーが提供される。例としては、オーディオかつ／またはビジュアル・アラームの起動、セキュリティライトの電源投入、防火扉を閉じることなどが挙げられ得る。
【０１９９】
電源・制御モジュール４２は、外部事象センサーから信号を受信するまで、個別信号ユニット２２を受動スタンバイ状態に維持するように適合される。このような信号は、装置の電源入力を開始し、装置が一意の暗号化された識別コードを中央制御機能に送信できるようにする。この信号の送信後、個別信号ユニットはパワーダウンし、受動スタンバイモードに戻る。
【０２００】
個別信号ユニット２０は、中央制御機能１２からのコマンドによっても電源入力状態になり得る。この電源入力は、例えば、新しいまたは追加の外部事象センサーの設置後、ユニットの配置換え後、新しい応答手続きをインストールするように、または既存の手続きを変更するように、個別信号ユニット２２を再プログラムするためであり得る。
【０２０１】
個別信号ユニット２２にデータ入力・表示機能が提供される場合、ユニットのこのようなプログラミングまたは再プログラミングは、装置自体において実行され得る。このようなローカルデータ入力の結果として、新しいまたは変更されたデータが、中央制御機能に送信され、必要に応じて、個別信号ユニットから受信される任意の信号に対するその応答が更新される。
【０２０２】
再び図１を参照すると、電源入力状態中、ならびにローカル接続された任意の装置を起動する続く任意の事前にプログラム化された手続き中、個別信号ユニット２２は、ネットワーク２１および衛星２０を介して信号を送信し、事象を中央制御機能１２に報告する。
【０２０３】
本発明の最も単純な第一の好適な形態では、個別信号ユニット２２によって送信される信号は、一意の暗号化された識別コードのみからなる。このコードと共にデータは送信されない。中央制御機能にとってこのコードの受信が何を意味するかについての情報は、機構の中央処理コンピュータに記憶される。個別信号ユニットの登録所有者により、その制御下で供給されるこの情報は、信号に応答してとるべき動作についての命令を含み得る。
【０２０４】
本発明のこの好適な形態では、個別信号ユニット２２は、単一の暗号化された識別コードのみの送信が可能であるが、様々な事象を示す様々な方法でそれを行い得る。各外部事象センサーには、上記一意の識別コードの固有の一連の反復送信が関連付けられる。例えば、外部センサー装置が起動された場合、コードはその特定のセンサーにとって所定の回数分、短い間隔で送信され得る。しかし、例えば、低バッテリー状態などのエラー状態が装置自体内で発生した場合、コードは一回送信され得る。この暗号化された単一コードの送信様式は、次に、装置の状態および中央制御機能によってとられるべき動作を決める。
【０２０５】
事前にプログラム化された命令に従って、個別信号ユニット２２は、後述するように中央制御機能１２によって警告を受けたサービス要員により、装置の場所での補助として、事前定義された期間の間隔で信号を送信し続け得る。
【０２０６】
ここでも図１を参照すると、中央制御機能１２は受信信号に対して作用して、個別信号ユニット２２の登録ユーザーと制御機構との間で取り決められた事前確立プロトコルに従って、任意の数の指定受信者３０に通知される。監視事象の詳細の通知は、図１に示すようにインターネット２９を介して電子メールの形態で、ファクシミリ送信により、または分散ネットワーク２１を介して任意のパーソナル通信装置に行うことができる。
【０２０７】
通常、１人の指定受信者３０は、警告信号の発信元の個別信号ユニットの登録ユーザーまたは所有者である。しかし、指定受信者は、事象の発生および性質、個別信号ユニットの場所、および他の任意の事前定義された詳細が自動的に通知されるサービス提供者も含み得る。サービス提供者は、例えば、警察、消防、および救急サービスまたは機器整備要員を含み得る。個別信号ユニットの登録時、ユニットの所有者は、所有者からの許可を中央制御機能が受信した場合のみ、第三者と交信することを選択し得る。
【０２０８】
申請ユーザーまたは所有者は、個別信号ユニット、外部事象感知機能、意図される場所、および装置から信号を受信した場合に実施されるべき手続きの関連するすべての詳細を供給する必要がある。次に、中央制御機能は、個別信号ユニットの一意の識別コードを発行する。代替として、個別信号ユニットは、一意の識別コードが製造時に事前プログラミングされ得る。同様に、申請ユーザーまたは所有者は、課金のためにＧＳＭ、ＧＰＲＳ、または他の通信システムのサービス提供者を指定し、または代替として、中央制御機能がこの構成を行い、このようなサービスに対する課金は、システムの使用に対する全体料金に含められる。
【０２０９】
中央制御機能は、こうして受信した情報を使用して、個別信号ユニットからの信号の受信に応答して、機構が従うべき手続きをプログラムする。機構はまた、使用開始前であるが、インフラストラクチャ項目への設置後に、例えば、繰り返し送信の頻度および間隔などの信号送信のパラメータを設定するデータを個別信号ユニットに送信し得る。
【０２１０】
個別信号ユニット２２の好適な一形態の分解組立図を示す図４を参照すると、エンクロージャー５０は基部５２およびカバー部分５４から構成される。エンクロージャー５０に格納されるものは、例として通信ネットワークとの通信の標準規格の汎用パケット無線システム（ＧＰＲＳ）を使用する通信モジュール５６、およびアンテナジャック５８である。またエンクロージャー５０内に含まれるものは、再充電式バッテリーモジュール６０、および電源入力／出力６２を含む入力および出力接続、センサー入力６４、装置リレー接続６６、およびユニバーサル・シリアル・バス（ＵＳＢポート）６８である。個別信号ユニット２２はまた、状況を表示する発光ダイオード（ＬＥＤ）７０が提供されうる。エンクロージャー５０は、例としてカバー５４の空間７２など、ユニットを中央管理機能へ登録するのに使用されるコードを表示するための空間が備わる。
【０２１１】
個別信号ユニット２２はそれぞれ、例として図１に示されるような、門２２、かんがい管理水門２４、または用具置場２６など、インフラストラクチャの項目のいくつかの様相の状況を監視するよう適合される。
【０２１２】
図２の概略図に示されるように、個別信号ユニット２２は少なくとも一つの送受信機モジュール４０、再充電式電力供給および電力制御モジュール４２、少なくとも一つの外部事象センサー４４、および論理回路４６を含む。いくつかの適用のため、個別信号ユニットは、個別信号ユニットの位置および機能が正しいこと、またはいくつかの既定のタスクが遂行されていることを確認するための、職員が許可カードを機械に通して調べることのできる、磁器カードリーダーが備わるかまたはそれに接続されうる。
【０２１３】
好ましくは電力供給４２はソーラーパネル４８を用いて再充電できるが、主電源から再充電できるバッテリー、または交換バッテリーパックから構成されてもよい。街灯の例など、既に電力供給が提供されているインフラストラクチャのいくつかの項目に個別信号ユニットが内蔵される場所では、ユニットへの電源は外部供給から提供されうる。
【０２１４】
個別信号ユニット２２は、装置自体の中に内蔵される少なくとも一つの外部事象センサー４４が備わりうるが、個別信号ユニット２２は、インターフェースと接続される複数の外部事象センサーからの信号にユニットを順応させることができるセンサーインターフェースが備わることが、より好ましい。したがって例として、個別信号ユニット２２は建物のドアおよび窓またはサービス車両に設置される装置の様々な項目など、遠隔的に位置する設備の複数の様相を監視しうる。
【０２１５】
図５を参照して、ＩＳＵは以下の構成材を含みうる。
【０２１６】
・ＧＳＭエンジン７４
これは装置の中核である。ＧＳＭネットワークを通してモジュールが接続および通信できる、ＧＳＭ送受信機を含む。送受信機はまた、ＩＰソケットを使用する中央管理機能のサーバーに接続するためＧＳＭネットワークのＧＰＲＳ機能が使用できるようにする。ＧＳＭエンジンはまた、アプリケーションスクリプト（ソフトウェア）を実行する基本のパイトン言語スクリプト、およびバッテリー充電機７５を充電できるリチウムイオン電池パック（図５の回路図のＪ５を経由して接続される）を含む。ＧＳＭエンジン７４にアプリケーションスクリプト（ソフトウェア）がロードされることにより、モジュールは外部センサーおよびＩＳＵ装置に接続される装置を監視し、およびこれら外部センサーまたは装置の状況変化があれば、ＧＰＲＳネットワークを通して中央管理機能サーバーにメッセージを生成することが可能になる。ＧＳＭエンジンのための典型的な操作は、既知のＩＰソケットを既知のＩＰアドレスでサーバーに接続する。この接続を経由してサーバーに送られるメッセージは、ＩＳＵ装置の識別（通常ＳＩＭカードに関連する電話番号）および入力状況変化の詳細を含む。ＧＳＭエンジンは、ＧＳＭエンジンの電源をオンおよびオフにできるプッシュボタンスイッチ（図５の回路図のＳ１）を有する。
【０２１７】
・ネットワーク状況表示（回路図のＤ１）
ＩＳＵ装置の状況を表示させるためにＬＥＤ（発光ダイオード）が提供される。ＬＥＤがずっとオフになっているときは、装置は電源が切られている。ＬＥＤが早く点滅しているとき（およそ１秒間隔）は、ＧＳＭエンジンはＧＳＭネットワークの検索およびネットワークに登録を試みている。ＬＥＤがゆっくりと点滅しているとき（およそ３秒間隔）は、ＧＳＭエンジンはＧＳＭネットワークに登録が完了しており、それによって、入力の一つの状態を変えるべきサーバーとの接続されることができる状態である。ＬＥＤがずっとオンになっているときは、装置によってアクティブコールが行われている。
【０２１８】
・バッテリー状況表示（回路図のＤ６）
バッテリー充電状況の可視表示はＬＥＤ（発光ダイオード）を使用して提供される。
【０２１９】
・ＵＳＢ接続（回路図のＪ３）
ＩＳＵ装置は、モジュールをパーソナルコンピュータに接続させることが可能なＵＳＢコネクタを有する。この接続によって、アプリケーションスクリプト（ソフトウェア）はＧＳＭエンジンでアップデートされることができる。また電源は、リチウムイオン電池を再充電するためパーソナルコンピュータから引き出される。ＵＳＢインターフェース装置（回路図のＵ６）の電源はＵＳＢコネクタから取られる。これにより、充電してから次に充電するまでの動作時間を引き延ばすため、リチウムイオン電池から消費される電流が最小化される。インターフェース・コンポーネント（Ｕ４およびＵ５）は、ＵＳＢポートが切断される（ＵＳＢデバイスの電源が切られる）とき、またはＧＳＭエンジンの電源がオフになったとき、ＵＳＢデバイスおよびＧＳＭエンジンの接続を切断する。プロテクション装置（回路図のＵ７）は、ＵＳＢ装置をＵＳＢコネクタのピン上の静電放電から守るためＵＳＢポートに含まれている。
【０２２０】
・外部センサー入力（回路図でＩＮ１〜ＩＮ４信号）
プロトタイプＩＳＵ装置は４つの外部センサー入力を実行する。これらの接続は、専用の入力コネクタ（回路図のＪ２）および特別なアタッチメント・コネクタ（回路図のＪ４）で有効である。これらの入力は、リレーコンタクトクロージャーを使用して、これらの入力信号を０ボルトリターン信号に外部センサーが単純に接続することができるよう、構成されている。これは広範のセンサーからの典型的な出力である。インターフェース・コンポーネント（回路図のＵ３）は、ＧＳＭエンジンの電源がオフになったとき、ＧＳＭエンジンからの入力信号の切断を提供する。また、コネクタのピン上の静電放電からインターフェース・コンポーネントを守るため、いくつかのプロテクション・デバイス（回路図のＤ２〜Ｄ５）がある。
【０２２１】
・制御出力（回路図のＯＵＴ１およびＯＵＴ２信号）
プロトタイプＩＳＵ装置は２つの制御出力を実行する。これらの出力によって、外部装置はＩＳＵ装置によって切り替えられることが可能になる。これらの出力は、トランジスタＱ１およびＱ２を使用して実行される。外部装置へは、専用の出力コネクタ（回路図のＪ１）または特別なアタッチメント・コネクタ（回路図のＪ４）のどちらかによって接続されることが可能である。
【０２２２】
・特別アタッチメント・コネクタ（回路図のＪ４）
特別アタッチメント・コネクタは、ＩＳＵ装置が専用センサーにプラグインされることができるよう提供されている。これらのセンサーは、ＩＳＵ装置に適合するように設計され、二つの装置の間で必要とされるすべての接続は、単独のアタッチメント・コネクタを通してなされる。このコネクタは、電源内蔵式であり、かつＩＳＵのバッテリーを再充電する電流を提供する能力があるアタッチメント、ならびに独自の電源供給がなく、動作にＩＳＵ装置のバッテリーからの電流を必要とするアタッチメントをサポートする。
【０２２３】
監視システムの装置は、ともに購入することが可能なまたは個別信号ユニット２２に追加することの可能な、複数の標準センサー装置を含みうる。センサー装置はそれぞれ、所定の刺激、および例として、電力状態、煙探知、行動探知、ドアまたは窓の開口、ボタン押し、液体レベル、不正防止、ＧＰＳシステムおよびビデオカメラを経由する設置などを含むセンサーに応答するよう適合される。これらの標準センサー装置は、入力接続６４または図４で示されるＵＳＢポート、または装置に提供される他の標準インターフェースポートの一つを経由して、個別信号ユニット２２に単純にプラグインするものとして提供される。
【０２２４】
個別信号ユニット２２はさらに、電源供給不具合などの、内部のエラー監視システムが提供されうる。好ましくは、個別信号ユニット２２はまた、例として許可されない人物による不正や動物などによる妨害を、中央管理機能に警告する干渉センサーが備わりうる。
【０２２５】
少なくとも一つの好適な実施形態での個別信号ユニット２２は、監視される事象を感知する事前にプログラム化された応答に従って、一つまたは複数の外部装置を起動する出力リレーが備わる。起動の例は、オーディオかつ／またはビジュアル・アラーム、セキュリティライトの電源投入、防火扉の閉鎖などを含みうる。
【０２２６】
電源供給および電力制御モジュール４２は、外部事象センサーから信号を受信するまで、個別信号ユニット２２をパッシブ・スタンバイ状態に維持するよう適合される。そのような信号は、固有の暗号化された識別コードを中央管理機能に送信することができるよう、装置の電源入力を開始する。この信号の送信後、個別信号ユニットは電源切断され、およびパッシブ・スタンバイ状態に戻る。
【０２２７】
個別信号ユニット２０はまた、中央管理機能１２からのコマンドで電源入力状態になりうる。この電源入力は例として、新規のまたは追加の外部事象センサーの設置、装置の移転、または既存の手順の改正後などに、新規応答手順をインストールするため個別信号ユニット２２を事前にプログラム化する目的のためとされうる。
【０２２８】
個別信号ユニット２２は、データ入力およびディスプレイ装置が個別信号ユニットに提供されると、ユニットのプログラム化または事前のプログラム化は装置自体で実行されうる。そのような地域データ入力の終わりに、必要に応じて個別信号ユニットから受信される任意の信号への応答をアップデートするため、新規または改正データは中央管理機能に送信される。
【０２２９】
再び図１を参照すると、電源入力状態中、装置が接続される任意の地域の起動のための事前にプログラム化された任意の後続の手順同様、個別信号ユニット２２は中央管理機能１２に事象を報告するよう、ネットワーク２１および衛星２０を経由して信号を送信する。
【０２３０】
本発明の第一の最も単純な好適な形態では、個別信号ユニット２２によって送信される信号は、単にその固有の暗号化された識別コードからなる。このコードとともにデータは送信されない。 中央管理機能によってこのコードが受信されたという情報は、機能の中央処理コンピュータに保存される。個別信号ユニットの登録された所有者の管理によって、および管理下で供給されるこの情報は、信号への応答にどのような対策がとられるかという指示を含みうる。
【０２３１】
本発明のこの好適な形態では、個別信号ユニット２２は単一の暗号化された識別コードを送信のみが可能であるが、様々な方法で様々な事象を表示しうる。外部事象センサーはそれぞれ、上記固有の識別コードの固有の一連の反復送信に関連付けられる。例として、外部センサー装置が作動されると、コードはその特定のセンサーに短い間隔で既定の回数、送信されうる。低バッテリー状態などの、装置自体にいかなるエラー状況が発見されたとしても、コードは個々に送信されうる。この単独の暗号化されたコードの送信方法はその後、装置の状況および中央管理機能によって取られるべき対策の決定要因になる。
【０２３２】
その事前にプログラム化された指示に従って、下記に記述されるように、個別信号ユニット２２は、中央管理機能１２によって警告を受けた点検職員による装置の場所での救済として、既定の期間の間隔で信号を送信し続けうる。
【０２３３】
再び図１を参照して、受信された信号は中央管理機能によって、個別信号ユニット２２の登録されたユーザーと中央管理機能の間で交渉される事前設立されたプロトコルに従って、任意の複数の指定された受信者３０に報告しながら作動される。監視された事象の詳細は、図１に示されるようにインターネット２９を経由してＥメールの形で、ファクシミリ送信によって、または任意の個人通信デバイスへの分散型ネットワーク２１での配布によって、通知されることが可能である。
【０２３４】
通常、一人の指定された受信者３０は、警告信号が受信された個別信号ユニットの登録されたユーザーまたは所有者になる。しかし、指定された受信者はまた、事象の発生および種類、個別信号ユニットの設置場所および任意の他の所定の詳細を自動的に通知される、サービス提供者である。サービス提供者は、警察署、消防署および救急サービス、または施設点検職員などを例として含みうる。個別信号ユニットの登録で、ユニットの所有者は、所有者から許可された中央管理機能による受信にのみ接触される、第三者を選出しうる。
【０２３５】
申請ユーザーまたは所有者は、個別信号ユニットのすべての関連詳細、その外部事象感知エリア、目的とする場所、および装置からの信号受信で実行される手順を提供するよう求められる。中央管理機能はその後、個別信号ユニットのための固有の識別コードを発行する。また個別信号ユニットは製造時に、その固有の識別コードが事前にプログラム化されても良い。同様に、支払い目的のため申請ユーザーまたは所有者は、ＧＳＭ、ＧＰＲＳ、または他の通信システムを指定する。または代替的に、すべてのシステムの使用料に含まれるそのようなサービスの支払いのこの手配を、中央管理機能が行う。
【０２３６】
従って情報は、個別信号ユニットから受信される信号に応答する中央管理機能によって続く手順をプログラム化するため、中央管理機能に使用される。中央管理機能はまた、作動される（権限を与えられる）前に、ただしインフラストラクチャ項目への設置後、例として反復送信の頻度および間隔などの信号送信のパラメータを設定するため、個別信号ユニットにデータを送信しうる。
【０２３７】
第二の好適な実施形態では、本発明の個別信号ユニットは再び図１に示されるように、少なくとも一つの送受信機モジュール４０、再充電式電源供給および制御モジュール４２、ならびに少なくとも一つの外部事象センサー４４、および論理回路４６を含む。しかしこの実施形態では装置はさらに、個別信号ユニットに接続される装置からの、アナログまたはデジタルの入力を記録できるデータ保存装置が備わる。
【０２３８】
この実施形態ではまた、装置はその固有の識別コードを中央管理機能に送信するだけに限らず、入力アナログまたはデジタルデータを、リアルタイムで、またはそのデータ既定の回数での保存装置からの検索、または中央管理機能のコマンド形式のいずれかで、送信することが可能である。
【０２３９】
従ってこの形態では、例としてビデオカメラ、録音装置、またはグローバル・ポジショニング・システム（ＧＰＳ）モジュールなどの設備が、個別信号伝達装置に入力装置としてアタッチされている。ＧＰＳモジュールの接続によって、個別信号ユニットは、既定の間隔または中央管理機能からの指令かのどちらかで、継続的にその位置を報告することが可能になる。同様に、ビデオカメラは既定の間隔または指令として、継続的に画像を送信しうる。また、カメラ、ＧＰＳモジュールなどからのデータは、個別信号ユニットのデータ保存装置（提供される場合）に、後の疑問点および中央管理機能へのダウンロードのために保存される。
【０２４０】
上記の好適な実施形態のいずれかでは、個別信号ユニットは遠隔起動に適合される設備上に、またはその設備に提供される。従って、登録されたユーザーまたは他の許可された人物が、監視のための電源オフとスタンバイの間で装置を切り替えができる設備である。この設備は、個別信号ユニット自体に内蔵、または入力デバイスに接続されたものとしての、無線周波数（ＲＦ）応答装置でありうる。
【０２４１】
接続性
多様な個別信号ユニット（ＩＳＵ）の柔軟性は、図２０Ａから図２０Ｄに示される他の装置とインターフェース可能なことである。図２０Ａに示されるその最も単純な形態では、例として行動探知機１４０などのいくつかの感知装置が、ＩＳＵ上に提供される標準入力／出力（Ｉ／Ｏ）コネクタ１４４を経由してＩＳＵ１４２に接続される。この場合では、ＩＳＵ１４２は、動きセンサーからの入力によって作動された場合、ＧＳＭネットワーク１４６を経由して、中央管理機能に信号を送信するよう構成されている（これらの図ではそのウェブサイト１４８によって表される）。中央管理機能のウェブサイト１４８はＩＳＵ１４２のユーザーから受信される前に構築された指示に従って、受信した信号に実行する。この例では、ＳＭＳメッセージ１５０がユーザーの携帯電話１５２に送信される。
【０２４２】
図２０Ｂによる配列図に示されるように、中央管理機能のウェブサイト１４８は、ＩＳＵ１４２のユーザー１５４と、いずれか一つのまたは組み合わせの、既存あるいは今後の通信システム１５６を通して通信しうる。
【０２４３】
このように、図２０Ｃに示されるように、ＩＳＵ１４２および中央管理機能は、任意の信号送信の形を通して感知される事象からの信号を送受信されるよう構成され、さらに図２０Ｅに示されるように、ＩＳＵ１４２のユーザーまたは登録された所有者へのメッセージは、任意型の通信デ装置に送信されうる。
【０２４４】
これらにはＳＭＳメッセージ、インターネット、ボイス、ファクシミリ送信、ＧＰＲＳシステムの使用、電話、ページャー、および衛星が含まれうる。それゆえ、中央管理機能は事故の発生を、ユーザーの携帯電話、コンピュータ、固定電話、およびファクシミリ機に通信しうる。同様に中央管理機能は、他のＩＳＵ、プログラマブル・ロジック・コントローラー（ＰＬＣ）、または指定のデータベースへの送信データと、適切に通信するものでありうる。従って、例としてＰＬＣ、アクチュエーター、またはモーターおよびそのような出力装置をＩＳＵに接続することにより、実行されうる所定のステップまたは対策は、ＩＳＵが設置される遠隔地域での処理の開始を含むことが可能になる。
【０２４５】
また２０Ｄおよび２０Ｅに示されるように、ＩＳＵは限定されない例として、ＵＳＢおよびＲＦポート、赤外線、Ｗｉ／Ｆｉ、ブルートゥース、およびファイヤーウォール・レシーバーを含む、複数の標準入力／出力コネクタ１６０から構成されうる。一つまたは複数のこれらのコネクタのいずれかと通信するセンサー１６２は、行動探知機、スイッチ、電話、計測器、データソース、プログラマブル・ロジック・コントローラー、および他の付属品を含みうる。
【０２４６】
その構成により、ＩＳＵ１４２は中央管理機能のウェブサイト１４８と、任意の複数の分散型通信システム１５８によって通信しうる。図２０Ｅに示されるように、これらには、ＧＳＭまたは他の携帯電話ネットワーク、衛星基盤システム、インターネット、ワイヤレス・ブロードバンド、銅製電話ネットワーク、およびボイスを含みうる。
【０２４７】
メッセージまたは他の形態の通信をＩＳＵユーザーまたは登録された所有者に送信するのに使用されるこれらの通信システムに加えて、中央管理機能は、図２０Ｆに示されるように、他のサービス提供者１６２との通信のために同じシステムを使用しうる。ＧＳＭネットワークを経由して利用可能な追跡システムの使用では、図２０Ｇに図式化して示されるように、ＩＳＵの信号はその位置の決定するために使用されうる。
【０２４８】
図２０Ｈはまたさらに、使用されうる感知装置とＩＳＵの接続方法の例を示す。広告板に関連するセンサー１６２は、気温、群集の大きさ、または広告の効果に関連する他のパラメータを監視する。これらの計測に基づき、およびユーザーの構築された指示に従って、ＩＳＵは最も適切な広告情報を提供しうるので、それによる割増金を請求することが可能である。
【０２４９】
本発明による監視システムのさらにいくつかの特徴は、以下を含む。
・ＩＳＵおよびサーバーはプログラム化が可能であり、および広い範囲の入力を支援することが可能である。
・ＩＳＵは前述の入力および出力に限定されない。追加または代替の入力および出力は設計に容易に追加されることが可能である。
・ＩＳＵは、分散通信システムが利用可能であるものによって、ＣＤＭＡ、３Ｇ、および衛星を含む様々な送信機構を支援することが可能である。
・中央管理機能のメッセージサーバーは、将来の増加するトラフィックを支援するため、複製またはアップグレードされることができる、拡大縮小が可能な構造に基づく。
・ＩＳＵはユーザーに状況情報を提供するため、簡易なＬＣＤまたは他のグラフィック・ディスプレイ装置を支援することが可能である。
・ＩＳＵはＯＥＭ（相手先商標製造会社）モジュールとして製品に一体化されることが可能である。これはユーザーアップグレード式の、または工場適合型のオプションでありうる。
【産業上の利用可能性】
【０２５０】
本発明の監視システムは多数の方法で商業開発を先導する。これらのいくつかは以下のように要約される。
・他で開発された完全なシステムをＩＳＵ認定としてライセンス供与する。
・臨時ユーザーにＩＳＵを小売する。
・現存製品およびサービスを、ユーザーが構築可能なウェブ基盤システムに加入するよう招待する。
・追加のプログラム化およびシステムサービス料を請求する。
・特注の測量および制御アプリケーションを設立する。
・資産を監視する。例として、
○車両ケア
○セキュリティ
○革新的設備の雇用オプション
○三角測量
○自然保護および在庫追跡' 
○スケジューリング
○環境監視
・資産を管理する。例として、
○環境管理―地方自治体、国立公園、防衛
○プラント管理―工場、農場、地方自治体
○アクセス管理―遠隔ドア開放
【０２５１】
ＩＳＵ基盤の監視システムに関連する多数の活動から収入が得られうる。例として、
・装置の販売―ＩＳＵおよび付属品
・装置の賃貸
・月極登録料―ＩＳＵネットワーク、オプショナルサービス
・ネットワークサービス料金（ＳＭＳ、ＧＰＲＳなど）
・開発―プログラム化、デザイン
・特注または改良アプリケーションの年間ライセンス料
・他のサービス提供者のためのＩＳＵネットワークアクセス料
・産業協力コミッション（保険手数料など）
・監視代理店からのライセンス料（コールアウト・プロバイダなど）
【０２５２】
車両に適合される、および車両のオンボード・コンピュータと結合されるＩＳＵの図２４を参照して、車両は、ＩＳＵの登録された所有者が車両の様相に関連する様々な動作を構築することができる他の装置になる。図２４に示されるように、構築の一つのカテゴリーは、点検または修理に応答型でありうる見積もりからの、好ましいまたは可能性のある車両のためのサービス施設の一覧である。実績および満足度のレートは、第三者査定による集積データから集められたこれらの施設に割り当てられ、および中央管理機能に供給されうる。
【０２５３】
さらに図２５に示される構築可能なオプションは、車両の所有者または管理者が、車両の性能パラメータのデータを受信することである。
【０２５４】
図２６は、所定のサービス間隔で車両点検の手配をするための、車両のＩＳＵを使用した車両管理構築の可能な結果を示す。車両のオンボード・コンピュータを監視するＩＳＵは、与えられた走行距離表示に車両が達したことを中央管理機能に信号で伝える。これにより中央管理機能は、車両所有者によって登録時に指定された３つのサービスから適合されうるサービスの、点検および可能日時の見積もりを得ることができる。
【０２５５】
上記のサービスを車載適用のためのＩＳＵ購入者に提供するため、中央管理機能は、ＩＳＵ監視システムの登録されたユーザーにサービス提示および見積もり提供する意志のある、サービス提供者のデータベースを設立しうる。図２７は、サービス提供者が登録に使用しうる、指定を希望しうる任意の特別なサービスの詳細の提供を含む、ウェブ基盤のページを示す。
【０２５６】
本発明の監視システムの適用のこの態様は、中央管理機能にさらなる収入源を提供する。ＩＳＵ基盤の車両の所有者にサービス促進を希望する車両サービス提供者のための価格構造の例は、図２８に示される。
【０２５７】
構成部品
上記をより詳細に打ち出すものとして、ＩＳＵの基本構成材は以下のとおりである。
・ネットワークモジュール
○プロセッサ
○メモリー
・コネクタ
・電源
これらの広義の構成材モジュール内で、ＩＳＵは様々な特性のある様々なモデルに構成されうる。
・ネットワーク―交換可能
・コネクタ―多用途および適合性を重視
・容量―保存、データの送信量
・耐久性―気象耐性、耐水性、耐衝撃性
・電源―主電源、バッテリー、ソーラー。５年のスタンバイ期間持続を達成。
・小型化
【０２５８】
可能な構成の例として、ＩＳＵは以下のように構成することが可能である。ＧＰＲＳモジュール  ＧＭ８６２、Ｉ／Ｏコネクタ（Ｊ４）  2214Ｒ−１６ＳＧ−８５、光ファイバー  Ｃ４３５８１５、ＬＥＤ（警告およびネットワーク）  ０８０５ＫＲＣＴ、スイッチ（オン／オフ）  ＥＬＴＳＡ−６３、ＵＳＢコネクタ  ５０７５ＢＭＲ０５ＳＭ、４ピン・エッジコネクタ  Ｓ４Ｂ−ＰＨ−Ｋ−Ｓ（出力）、８ピン・エッジコネクタ  Ｓ８Ｂ−ＰＨ−Ｋ−Ｓ（入力）、バッテリー  Ｓａｎｙｏ  ＵＦ５５３４４Ｆ、同軸ケーブル  ２２−ＳＭＡ−５０−０−５３。
【０２５９】
アタッチメント
ＩＳＵは事実上任意の信号生成装置からの入力を受容するのに適合されうる。いくつかの現在既知の例は、行動探知機、ブルートゥース・アクセサリ、アラーム、検出機、および応答機を含む。
【０２６０】
他のアタッチできるデバイスは、プログラマブル・ロジック・コントローラ（例として、自動販売機、ディスペンサー、ロボットに作用するようプログラム化されうる）、メッセージボード、遠隔監視システム、ＲＦネットワーク、およびリモート・コントロール・ユニットを含む。
【０２６１】
使用
個別信号ユニット２２は中央管理機能１２に登録することにより、監視システム１０に追加される。そのような登録は、中央管理機能によって維持されるインターネット・ウェブサイトを通して申請ユーザーまたは所有者によって遂行されうる。個別信号ユニットによって監視されたデータは、登録された所有者または所有者に許可された第三者によってのみ、ユニットの初期登録時に設定されたユーザー名およびパスワードを通してアクセスすることが可能である。
【０２６２】
ユーザー
システムの新規ユーザーは、個別信号ユニット２２を任意の許可を受けた販売店、例えば、携帯電話小売り店などで購入することができる。同様に、ユーザーは、許可を受けた販売店で入手可能であるか、または公認供給業者から取得可能な個別信号ユニットと互換性を有する様々な標準センサーユニットから選択することができる。好ましくは、個別信号ユニットは、入力コネクタ６４を介して最高で４つのセンサー装置を入力として受け入れるように適合される。従って、例えば、個別信号ユニットは、移動センサー、ビデオカメラ、マイクロホン、ならびに煙警告機（図示せず）に接続されうる。
【０２６３】
また好ましくは、個別信号ユニット２２は出力コネクタ６６を経由して、セキュリティライトまたはオーディオアラームなどを例とする外部装置に接続されうる、少なくとも二つの出力リレーが備わる。
【０２６４】
設備を使用できるように、新規所有者は中央管理機能に、好ましくは中央管理機能によって維持されるインターネット・ウェブサイトを通して、または電話で、登録しなければならない。図６から図１２を参照して、中央管理機能のウェブサイトを通しての登録の手順は以下のステップを含む。
１．ウェブサイトにログオンし、図６に示されるように登録１００のオプションを選択した後、図７に示されるように、所有者は個人詳細１０２を入力し、ユーザー名１０４およびパスワード１０６を後の中央管理機能との対話のため選択する。
２．この時点で、所有者はまた、請求書のために中央管理機能にアカウントを設立することが求められる。
３．次に、図８に示されるように、所有者は購入した個別信号ユニットの固有の識別コード番号１１０を入力するよう案内される。これは購入された装置の包装の中に、または好ましくは装置本体に接着された剥がせるシールに印刷されて提供されうる。（例として、図４に示されるように、カバー部分５４の空間７２に）
４．装置にディスプレイモジュールが備わる場合は、ユニットに電源が供給されたとき、つまり初めにスイッチが入れられたときに、確認コードがディスプレイされる。この、番号１１２はまた、図９に示されるように入力される。
５．図１０に示されるように、識別を容易にするため、所有者は短い説明１１４、通常は信号伝達装置の機能または場所、および接続されるセンサー（複数可）に関連して、指定してよい。
予期せぬ場合、または設置場所から動かすことができない場合の固定される装置のため、地理的な位置はＧＰＳユニットからの調整を記録することにより、登録時に特定されうる。
６．所有者はその後、どのセンサーユニットまたはユニットが個別信号ユニットに接続されるのかを、図１１に示されるアイコン１１６をクリックするか、または図１２に示されるドロップ・ダウン・メニューから指定するよう案内される。
７．登録手続が完了すると、所有者は個別信号ユニットを構築する機会が与えられる。これは装置によって送信される信号への応答で中央管理機能によって従われるプロトコルを設立することである。
８．図１３に示されるように、装置の監視は特定された時間１２２内に、または継続されて行われうる。明確に、装置が店舗に設置される例では、業務時間中の望ましい屋外でのみセキュリティ目的の監視がされうる。
９．図１４に示されるウェブサイトページの入力によって、所有者は報告される警告状況のために得られるべき状況１２４への、いくつかのパラメータを特定することができる。
１０．図１５に示されるように、所有者はその後、警告状況が発生した場合に所有者に送られるメッセージ１２６を指定してよい。
１１．図１６のウェブサイトページへの入力により、所有者は、中央管理機能によって警告メッセージが送信される一つまたは複数の方法１２８を指定できる。
これにより所有者は、例として、個別信号ユニットの設置の場所を調査するよう指示されうる警備機関など、サービスサプライヤーの指定もできるようになる。
さらに、セキュリティライトのスイッチを入れるなど、個別信号ユニット出力に接続されうる任意の外部装置（複数可）を動作させるコマンドを指定することができる。
【０２６５】
この一連のステップにより、個別信号ユニット、取り付けられたセンサーおよび任意の出力装置（複数可）、ならびに登録された個別信号ユニットから信号が受信された場合に、中央管理機能によって取られるべき応答ステップの登録および構成が完了する。
【０２６６】
登録および構築に加えて、中央管理機能ウェブサイトには、登録された個別信号ユニットの所有者（または他の許可された人物）が、例としてセキュリティ・ユーザー名およびパスワードを入力することにより、いつでもアクセスすることができる。次に、図１７に示されるように、いくつかのオプション１３０が個別信号ユニットの所有者に提示される。
【０２６７】
利用可能なオプションの一つは、個別信号ユニットの位置を特定する設備である。このオプションが選択されるが、個別信号ユニットにＧＰＳモジュールが備えられていない場合、中央管理機能は個別信号ユニットに、三つかそれ以上の分散型通信ネットワークのステーションからその場所の三角測量を可能にするのに十分な時間、その固有の識別コードを送信するよう指示が可能である。この位置はその後、地図１３２に重ねられ、図１８に示されるように、その地図およびマークされた検出場所が、個別信号ユニットの所有者にリレーされる。
【０２６８】
登録された所有者が利用可能な他のオプションは、登録された個別信号ユニットの再構築ができることである。これは例として、装置が他の場所に移される場合、異なる用途に使用される場合、センサーが追加または装置から取り外された場合、望ましいであろう。
【０２６９】
登録された所有者の利用可能な三つ目のオプションは、装置の現在の状況およびその事象履歴の確認である。図１９に示されるように、この情報は所有者に表形式で表示されうる。例に示されるように、この所有者は中央管理機能に登録された四つの装置１３４を所有しており、現在の状態、同様にそれぞれの感知デバイスによって報告された検出された事故の記録を、一瞥で見ることが可能である。
【０２７０】
例えば、“用具置場１”は、工事現場に無人で残された土木機材プラントの項目に配置された個別信号ユニットが備えられた用具置場でありうる。表形式の履歴は、妨害された時間、日付表示１３６を示す。個別信号ユニットに関連する事前にプログラム化された手順によって、所有者または設備に責任のある職員は、数分以内に警告を受けうる。警告メッセージは、例として電話、携帯電話のテキストメッセージ、ファクシミリ、またはＥメールなど、任意の好ましいまたは複数のメディアを経由して送信される。
【０２７１】
“Ｇｒａｎｄｍａ（祖母・おばあちゃん）”は、災難の状況を誰かに知らせる手段を高齢者（または病人）に与える、センサーがプッシュボタンである個人セキュリティモジュールに内蔵された個別信号ユニットでありうる。
【０２７２】
商用ユーザー
本発明の個別信号ユニットは、インフラストラクチャまたは器具類の項目に、製造時に内蔵（または改造）されうる。そのように内蔵された個別信号ユニットは、上記の一般ユーザーで記述されたのと同様の方法で、中央管理機能に登録される。上記の街灯の適合の例では、好ましくは製造時に、センサーおよび個別信号ユニットが地方自治体の管理下の街灯に適合される。街灯それぞれの個別信号ユニットには、中央管理機能のコンピュータで維持されるデータに関連する固有の暗号化されたコードが割り当てられる。このデータは、適合する電球の型および特定の街灯の位置を含む。データはさらに、暗号化されたコード信号が中央管理機能によって受信されるときに取られる対策について設定される指示を含む。これは、メンテナンス部門、および電球の在庫をチェックし、可能な補給が自動的になされるよう必要とされる電球の供給者への請求までものメッセージを含む。
【０２７３】
同様に、煙が検出されると信号伝達装置に入力を提供する煙探知回路のある煙警告機が、個別信号ユニットに内蔵されうる。この例では、信号伝達装置のための電源は煙警告機の電源供給と同じように供給されうる。
【０２７４】
他の例では、個別信号ユニットは、例としてコインが満杯、用紙切れ、または不正の状態などを感知するよう、パーキングメーターに内蔵されうる。
【０２７５】
さらに上記に暗に示される例は、様々な建物の内外の複数の場所で、入力アタッチメントとしての磁気カードリーダーが、個別信号ユニットに内蔵または取り付けられて提供されうる。警備員や清掃員は中央管理機能に信号を発するリーダーに適切なカードを通し、そしてその後、適切に指定された受信者へ建物が安全であること、または清掃が完了したことの通知を発する。
【０２７６】
個別信号ユニットは、例としてデューティサイクルを追跡するためのエンジン出力の上昇下降、サービス期間、および不適正使用を監視するよう、プラントおよび商業用車両に設置されうる。この例では、プラントまたは車両の所有者は中央管理機能にアクセスが可能であり、かつプラントの操業時間記録およびサービス時間のログを獲得することができる。
【０２７７】
またさらなる例として、適切なセンサーのある個別信号ユニットは、水量変化の初期警告を与えるため河川に設置されうる。
【０２７８】
他の場所での使用は、例として在庫や不正の状況に関する自動販売機の監視を含む。水やガスの供給設備などとして利用できるインフラストラクチャの項目もまた、使用量およびエラー状態が都合よく監視されうる。
【０２７９】
本発明の少なくとも一つの実施形態では、中央管理機能によってとられる対策は、個別信号ユニットおよびセンサーまたはそれに取り付けられたセンサーの所有者から受信される第二層の指示を前提とされうる。例として装置の登録は、第一の通告を事象の所有者（または登録された所有者によって指定された許可された受信者）にした後に実行する、中央管理機能のための複数の選択的対策を含みうる。
【０２８０】
例として、個別信号ユニットが建設現場の現場事務所またはコンテナーの安全性を監視する場合、中央管理機能によってとられる可能な対策は、以下のものを含みうる。
１．無視
２．契約された警備会社に連絡
３．現場監督者に連絡
４．隣人に連絡
５．警察に連絡
【０２８１】
建築現場に設置された個別信号ユニットからの信号の受信に続く、中央管理機能に記録された第一の指示は、所有者または許可された受信者にＳＭＳメッセージを送信することである。メッセージの受信者は“３４”の例のように応答しうる。中央管理機能はその後、現場監督（３）および隣人（４）に事象を通知することよって第二層の指示の可能な対策３および４を実行する。
【０２８２】
図２１から図２３に要約されたさらなる使用例では、ＩＳＵは個人用または商用の車両の管理コンピュータとインターフェースしうる。これによって、車両の多数の様相の管理、運転費用、性能、またサービスのスケジュールおよびサービスの利用可能性やサービスの見積もりの取得すらも可能になる。
【０２８３】
ＩＳＵのこの適用は、車のオンボード・コンピュータから任意のデータ送信を提供するため、前述したようなＩＳＵの例などの、レンタカーのオペレーターのための特定の使用のものである。これらは、例として不使用の間施錠がされないままになっている場合など、与えられた任意の時間における車両のドア施錠の状況を含む。
【０２８４】
任意の車両の鍵の紛失の場合、ＩＳＵは車両のドアを施錠し、かつこの指令が無効になるまで施錠したままにするよう指示されることが可能である。
【０２８５】
車両搭載ＩＳＵは、ワイヤレス・ブロードバンドを経由してインターネットにアクセスすることにより、音楽やビデオのダウンロード、リモート・コンピュータへのアクセス、およびインターネット・サーフィンのための使用など、車両のエンターテイメントシステムを拡大して使用することが可能である。
【０２８６】
まだ図２２を参照すると、ＩＳＵに適合するデバイスの追加により、盗難された車両の遠隔不動化、ならびに車両が妨害を受けていることの様々なアラーム（警報）およびインジケーターの作動が可能になる。
【０２８７】
車両のオンボード・コンピュータから抽出された情報は、車両がどこかの遠隔地で誤動作した場合、指定の修理センターにリレーされれば、修理センターはその情報を使用して、修理の指示を出すことが可能である。
【０２８８】
図２３は車両に設置されたＩＳＵの使用可能性の概説、および状況の監視または車両使用とその設備に関連する様々なパラメータの計測から続きうる対策を提供する。
【０２８９】
上記の個別信号ユニットおよび監視システムは、広く散在する場所でのあらゆる範囲の事象によって発生する警報の警告を、装置の所有者および／またはそれらのサービス提供者に警告の発生を、最も効果的に対処できるよう広める、非常に柔軟なおよび効果的な方法を提供すると共に、ユニットの所有者は、取られる対策に連絡されることのできる環境下を指定できることが理解されるであろう。
【０２９０】
装置は以下を提供する。
・マシン同士のグローバル・コミュニケーション
・距離独立
・位置独立
・移動独立
・５分のＤＩＹ取り付け
・非常に多数の商品
【０２９１】
本発明の個別信号ユニット（ＩＳＵ）システムは、人、製品、およびサービスのミッシングリンクを提供する。
・無制限な範囲および多用途性のあるＩＳＵプラットフォームは、世界中どこでも誰にでも、任意のネットワークを経由して情報を受信、およびユーザー構築された事象の環を開始することが可能である。
・ワールド・ワイドな製品およびサービスを、集中型システムに多様な使用および適用のためにもたらす能力がある。
・小型ＩＳＵ（小型ＭＰ３プレーヤーの大きさおよび外観と同等）は、わずかな設定でまたは設定がまったく必要なく、高度なプログラム化およびリソースにアクセスするよう適合されうる。
【０２９２】
データフロー
図２９を参照すると、再構成可能、コラボレーション可能、拡張可能な監視システム２００のデータフローを、ブロック図の形態で説明する。同様の構成要素は、２００シリーズを除き、先の実施形態と同様に付番される。例えば、中央制御機能１２は、メインサーバーおよびデータベースを含む中央制御機能２１２になる。この場合、メインサーバーおよびデータベース２１２は、一つまたは複数の個別信号ユニット２２２と双方向通信する。メインサーバーおよびデータベース２１２は、第三者ツールソース２０１とも双方向通信する。さらに、メインサーバーおよびデータベース２１２は、ユーザーコンピュータ２３０とも双方向通信する。使用に際して、メインサーバーおよびデータベース２１２は複数のツール２０２がロードされ、そのうちの少なくともいくつかは、双方向ツールリンク２８０を介して供給される。ツール２０２のうちの指定されたものは選択され、ＩＳＵ双方向リンク２８１を介して供給された事象データに応答して始動するように設定される。ツールの選択および双方向リンク２８１から送信された事象データに応答するようにツールのプログラミングは、ユーザーコンピュータ２３０から入力され、ユーザー双方向リンク２８２上でメインサーバーおよびデータベース２１２に送信される制御データによって提供される。双方向リンク２８１は、ローカル機能を再プログラミングし修正するために、データをメインサーバーおよびデータベース２１２から個別信号ユニット２２２に送信するためにも利用される。
【０２９３】
事象が発生すると、メインサーバーおよびデータベース２１２は、双方向リンク２８２を介して前に供給された制御データを介してプログラムされた事象応答シーケンスに従って、双方向リンク２８１を介して送信された事象データに応答する。応答結果のうちの少なくともいくつかにより、データが双方向リンク２８０を介してツールソース２０１に転送されることになりうる。
【０２９４】
第三の実施形態
図３０、図３１、図３２を参照して、図２９のデータフロー特徴を組み込んだ、本願の第三の実施形態を定義するスクリーンショットを示す。このデータフロー機能が提供するシナリオは、以下を含む。
【０２９５】
第三者ツールソース
第三者は、例えば、ホームセキュリティパッケージに基づいて、事前準備されたツールを提供することができる。パッケージには、ウェブアクセス可能なメニュー上のリンクとしてアクセス可能であり、それにより、訪問者は、「ホームセキュリティパッケージ」を思い出し購入することができ、それにより、一つまたは複数のＩＳＵユニットがパッケージの一部としてユーザーによる設置（または追加の第三者による専門家による設置）のために送出される。ＩＳＵユニットが設置されてからＩＳＵユニットによって報告される任意のセキュリティ事象は、ユーザーまたは第三者ツール提供者によって事前構成することができる。好適な形態では、特徴によっては、ユーザーによる構成が可能なものもあれば、ツール提供者によって構成されるものもある。例えば、ツール提供者は、侵入事象の場合、特定の電話番号に電話が掛かるか、または第三者ツール提供者によって委託されたセキュリティ提供者とリンクされた他の特定の事象通知が行われることを管理しうる。
【０２９６】
特定の事象に応答して、さらなるサービス提供のニーズを生じさせる第三者ツール提供から生じるさらなる機能は、そのフローオンサービス（flow on service）または結果として生じるサービスを提供する市場の開拓に関連する。従って、例えば、最初に、第三者ツール提供者は、特定のフローオンサービスまたは結果として生じるサービス提供者を提供しうる。しかし、ウェブアクセス可能なデータベースは、関連するフローオンサービスを満足させるために競り合う他のサービス提供者に適応することができる。これは、例えば、侵入事象がＩＳＵによって検出され、データベースに報告されたときに、現場に呼び出される警備員の提供と同じくらい単純でありうる。このようなフローオンセキュリティサービスは、第三者ツール提供者によって直接、またはサービスをより安価なレートで提供可能でありうる代替の「フリーランス」サービス提供者によって提供されうる。「フリーランス」提供者はサービスをオープンにより安価なレートで提供可能であるため、通常使用されるインハウスセキュリティサービスフローオン提供者の代わりに、フリーランスサービス提供者が実際に第三者ツール提供者によって雇われる可能性も開かれ、結果として、ＩＳＵのユーザーおよび第三者ツール提供者の両者にとっての恩益に繋がる。
【０２９７】
データベースによる事象監視
先の実施形態は、事象シーケンシングのプログラミングを実行するユーザーが、事象の発生を監視する人でもあると考えていた。しかし、ＩＳＵのユーザーは、「プレミアムサービス」を選択することができ、それにより、事象に対する応答のプログラミングは、ＩＳＵを購入したユーザーではなくデータベースシステム自体によって実行される。その最も単純な形態では、これはここでも、スクリーンショットに示されるように、事前定義されたパッケージの購入によって実行することができる。例えば、ユーザーは、車監視パッケージの購入を選択しうる。「プレミアムサービス」レベルにおいて、パッケージが購入されると、一つまたは複数のＩＳＵユニットが送出され、ユーザーが自分で車両内に取り付けるか、または専門家の支援が手配される。車両内にＩＳＵによって生成されたあらゆる事象に対する応答は、多くの場合、実際には第三者ツール提供者によって提供された定義であるデータベースによって設計することができる。今述べたシナリオでは、結果として生じるフローオンサービス（例えば、車両の切れたバッテリーの交換、またはパンクしたタイヤの交換）は、第三者ツール提供者によって「インハウス」で提供することもでき、または最も費用効率的な「フリーランス」提供者に販売することもできる。
【０２９８】
フリーランス提供者
上述したシステムでは、フリーランスサービス提供者が、排他的ではないが特に、上に挙げたフローオンサービスのうちの一つを提供する可能性が可能である。フリーランスサービス提供者は、データベースのウェブサイトに登録することができる。フリーランスサービス提供者は、サービスを直接、ＩＳＵのユーザーにより、または第三者ツール提供者により野と得られるよりよい機会を得るためのポジショニングに料金を支払いうる。
【０２９９】
プロファイルエクスポート
例えば、特にパッケージに関連する特定のユーザープロファイルを新しいユーザーにエクスポートすることができ、それにより、新しいユーザーは、事象が報告され、事象応答をプログラムまたは再プログラムすることができるエンティティになる。
【０３００】
広告掲載
図３０〜図４５のウェブサイトも、ツール提供に関連して実際に広告している第三者ツール提供者の可能性を示す。従って、例えば、第三者ツール提供者、例えば、保険提供者は、ユーザーがセキュリティＩＳＵを購入し設置（直接自分で、または事前定義されたパッケージのうちの一つを介して）した場合、保険料率が半減することを広告しうる。それと交換に、ツール提供者は、クライアントデータへのアクセスおよび少なくとも部分的に、ＩＳＵによってフラグ付けられた事象に対するサービス、特に費用効率的なサービスを定義し伝えるようにＩＳＵをプログラムまたは再プログラムする能力を得る。（先の実施形態の図２０Ｈは、このシナリオ下で利用可能な制御信号フローを強調している）。
【０３０１】
ＩＳＵサイトは、ユーザー要件の多様性を定義するスタートであるソリューションフィールドを示す。これは、サイトセクションを見ることにより、またはアイテムを探索することによって定義される。全製品は、探索アイテムによって定義され、広告および第三者は、探索されたアプリケーションにリンクされる。
【０３０２】
各フィールドには、ユーザーがセットアップなしでプラグアンドプレイできる事前構成されたオプションである複数のバンドルがある。
【０３０３】
各オプションは、リンクされた関連する第三者提供者を有し、異なるレベルのサービスおよび機能がユーザーおよび第三者の両者に提供される。
【０２０４】
ユーザーは、用途を選択し、カートまたはプロファイルページに入れ、登録を通して、全制御権を有するか、または必要な制御を第三者提供者に提供する装置をプラグアンドプレイまたは再構成することができる。
【０３０５】
探索フィールドは、関連するローカル提供者を新しいＩＳＵ用途および利用可能な新しいデータによって作成された潜在的なビジネス機会にリンクする人物に適したパッケージを定義する。
【０３０６】
ユーザーは、ビジネス定義様式またはパーソナリティ定義様式で用途に合うように自分のページの内容および構造を定義する。サイトは、自己設計されたように、または既存の第三者方法論を介して要求に応え、第三者が影響を及ぼせるようにする。
【０３０７】
登録により、ユーザー情報およびＩＳＵソリューションに対するプリファレンスが定義される。
【０３０８】
複数レベルのユーザー対話および第三者関与と共に、構成可能性により、タスクを容易に共有または割り振ることができ、グループ／ソリューションを作成可能な共有型システムが可能になる。コミュニティ開発のユーザー概念はここから始まり、アイディア次第で無限の機会が生み出されるコアを提供する。
【０３０９】
ユーザー構成ページおよびソリューション開発者により、個人は、ＩＳＵプログラマからの助けを受けて新しいアプリケーションを作成すると共に、プログラマがＩＳＵサイト用のアプリケーションを開発できるプラットフォームを提供することができる。
【０３１０】
上記の記述は本発明のいくつかの実施形態のためのみのものであり、および本発明の範囲および精神を逸脱せずに、変更が当業者によってなされうることは明らかである。
【符号の説明】
【００００】
１０  監視装置
１２  中央管理機能
１４  データ処理サーバー
１６  データ保存装置
１８  送受信機
２０  通信衛星
２２  個別信号装置
２４  水門
２６  用具置場
２９  インターネット
３０  受信者
４０  送受信機モジュール
４２  再充電式電力供給および電力制御モジュール
４４  外部事象センサー
４６  論理回路
４８  ソーラーパネル
５０  エンクロージャー
５２  基部
５４  カバー部分
５６  通信モジュール
５８  アンテナジャック
６０  再充電式バッテリーモジュール
６２  電源入力／出力
６４  センサー入力
６６  出力コネクタ
６８  ＵＳＢポート
７０  状況表示発光ダイオード
７２  空間
７４  ＧＳＭエンジン
７５  バッテリー充電機
１００  登録
１０２  個人詳細
１０４  ユーザー名
１０６  パスワード
１１０  識別コード
１１２  番号
１１４  記述
１１６  アイコン
１２０  ドロップ・ダウン・メニュー
１２２  特定時間
１２４  状況
１２６  メッセージ
１２８  方法
１３０  オプション
１３２  マップ、地図
１３４  （４つの）装置
１３６  （時間、日付）表示
１４０  行動探知機
１４２  個別信号装置（ＩＳＵ）
１４４  入力／出力（Ｉ／Ｏ）コネクタ
１４６  ＧＳＭネットワーク
１４８  ウェブサイト
１５０  ＳＭＳメッセージ
１５２  携帯電話
１５４  ユーザー
１５６  通信システム
１５８  分散通信システム
１６０  標準入力／出力コネクタ
１６２  サービス提供者
１６２  センサー
Ｄ１  ネットワーク状況表示
Ｄ２  プロテクション・デバイス
Ｄ３  プロテクション・デバイス
Ｄ４  プロテクション・デバイス
Ｄ５  プロテクション・デバイス
Ｄ６  バッテリー状況表示
ＩＮ１  外部事象センサー
ＩＮ２  外部事象センサー
ＩＮ３  外部事象センサー
ＩＮ４  外部事象センサー
Ｊ１  出力コネクタ
Ｊ２  入力コネクタ
Ｊ３  ＵＳＢコネクタ
Ｊ４  アタッチメント・コネクタ
ＯＵＴ１制御出力
ＯＵＴ２制御出力
Ｑ１  トランジスタ
Ｑ２  トランジスタ
Ｓ１  プッシュボタンスイッチ
Ｕ３  インターフェース・コンポーネント
Ｕ４  インターフェース・コンポーネント
Ｕ５  インターフェース・コンポーネント
Ｕ６  ＵＳＢインターフェース・デバイス
Ｕ７  プロテクション・デバイス
【図３】
0005888578.tif 000002
【図４】
0005888578.tif 000003
【図５】
0005888578.tif 000004
【図２７】
0005888578.tif 000005
【図３１】
0005888578.tif 000006
【図３２】
0005888578.tif 000007
【図３３】
0005888578.tif 000008
【図３４】
0005888578.tif 000009
【図３６】
0005888578.tif 000010
【図４０】
0005888578.tif 000011
【図４１】
0005888578.tif 000012
【図４２】
0005888578.tif 000013
【図４３】
0005888578.tif 000014
【図４４】
0005888578.tif 000015
【図１Ａ】
0005888578.tif 000016
【図１Ｂ】
0005888578.tif 000017
【図２】
0005888578.tif 000018
【図６】
0005888578.tif 000019
【図７】
0005888578.tif 000020
【図８】
0005888578.tif 000021
【図９】
0005888578.tif 000022
【図１０】
0005888578.tif 000023
【図１１】
0005888578.tif 000024
【図１２】
0005888578.tif 000025
【図１３】
0005888578.tif 000026
【図１４】
0005888578.tif 000027
【図１５】
0005888578.tif 000028
【図１６】
0005888578.tif 000029
【図１７】
0005888578.tif 000030
【図１８】
0005888578.tif 000031
【図１９】
0005888578.tif 000032
【図２０Ａ】
0005888578.tif 000033
【図２０Ｂ】
0005888578.tif 000034
【図２０Ｃ】
0005888578.tif 000035
【図２０Ｄ】
0005888578.tif 000036
【図２０Ｅ】
0005888578.tif 000037
【図２０Ｆ】
0005888578.tif 000038
【図２０Ｇ】
0005888578.tif 000039
【図２０Ｈ】
0005888578.tif 000040
【図２１】
0005888578.tif 000041
【図２２】
0005888578.tif 000042
【図２３】
0005888578.tif 000043
【図２４】
0005888578.tif 000044
【図２５】
0005888578.tif 000045
【図２６】
0005888578.tif 000046
【図２８】
0005888578.tif 000047
【図２９】
0005888578.tif 000048
【図３０】
0005888578.tif 000049
【図３５】
0005888578.tif 000050
【図３７】
0005888578.tif 000051
【図３８】
0005888578.tif 000052
【図３９】
0005888578.tif 000053
【図４５】
0005888578.tif 000054